(57)【要約】【課題】  液状物の性格を簡便に分析、評価できる方法や性格分析電波分光器は存在しなかった。【解決手段】  液状物中の電波送信針から液状物中に、周波数１ｋＨｚ〜１０ＭＨｚのパルスを任意時間内に任意周波数間隔ごとに入力し、液状物中で透過、反射、減衰、共振等により変動したパルスを液状物中の電波受信針で受信し、送信パルスと受信パルスのレベル差を演算処理して周波数と電圧との関係の波形図を作成し、その波形図を比較用溶液波形図と対比して、液状物の性格を分析評価する。可変パルス発生器と、それからの発振周波数を６０〜１８０秒の間に１ｋＨｚごとに掃引する掃引器と、それらパルスを被検体の液状物内に送信する電波送信針と、液状物からパルスを受信する電波受信針と、送信パルスと受信された所定周波数ごとの受信パルスを検出する検出部と、検出部で検出されたレベル差を演算処理してレベルと周波数波との関係を示す波形図を作成する演算処理部を備えた性格分析電波分光器である。【選択図】      図２２
2007040924.tif 000002
【特許請求の範囲】
【請求項１】
被検体である水溶液及び液状物中に浸漬されている電波送信針から液状物中にパルスを送信し、液状物中で透過、反射、減衰、共振等の相互作用により変動したパルスを液状物中に前記電波送信針と離して浸漬されている電波受信針で受信し、前記送信パルスと受信パルスのレベル差を検知し、検知された信号を演算処理して波形図を作成し、その波形図を比較用溶液波形図と対比して、液状物の性格を分析評価することを特徴とする液状物性格分析評価方法。
【請求項２】
請求項１記載の液状物性格分析評価方法において、液状物中の電波送信針から送信する送信パルスが周波数１ｋＨｚ〜１０ＭＨｚのパルスであり、任意周波数間隔で送信されるパルスが全計測周波数帯域を任意時間内でスキャニングされて電波送信針から液状物中にパルスを送信されることを特徴とする液状物性格分析評価方法。
【請求項３】
請求項１又は請求項２記載の液状物性格分析評価方法において、グラフは周波数と電圧との関係を表示するものであることを特徴とする液状物性格分析評価方法。
【請求項４】
周波数の異なるパルスを発振する可変パルス発生器と、可変パルス発生器から発生するパルスを被検体の液状物内に送信する電波送信針と、液状物からパルスを受信する電波受信針と、電波送信針へ送信される送信パルスと電波受信針で受信された受信パルスのレベル差を検出する検出部と、検出部で検出されたアナログ電圧をデジタル電圧に変換するＡ／Ｄ変換器と、変換されたデジタル信号を演算処理して波形図を作成する演算処理部と、可変パルス発生器の発信周波数を掃引する掃引器を備え、前記両電極は液状物内に離して浸漬され、掃引器は可変パルス発生器から発振されるパルスを６０〜１８０秒の間に、周波数１ｋＨｚ〜１０ＭＨｚの範囲で掃引して１ｋＨｚごとのパルスを発振させるものであることを特徴とする液状物性格分析電波分光器。
【請求項５】
請求項４記載の液状物性格分析電波分光器において、電波送信針と電波受信針の材質が金または金メッキ材であることを特徴とする液状物性格分析電波分光器。
【請求項６】
請求項４又は請求項５のいずれかに記載の液状物性格分析電波分光器において、液状物内に浸漬された電波送信針と電波受信針の間隙が０．５ｍｍ〜１０ｍｍであることを特徴とする液状物性格分析電波分光器。
【発明の詳細な説明】
【技術分野】
【０００１】
本発明は水溶液及び水を主とした液状物（以下これらをまとめて「液状物」という。）の性格の波形図（グラフ）による評価方法と、それに使用される液状物性格分析電波分光器（アクアアナライザー）に関するものであり、上水、下水、加工用水、機能水、飲料水、アルコール飲料、栄養飲料、食品液汁、液状医薬品等の性格判断、品質比較管理、品質分析に利用できるものである。本件発明のマクロ的な性格分析は非常に簡便で簡易にどこででも即座に利用でき、従来のミクロ的な物質分析、物性分析を加えれば液状物の本質をより正確に把握できるものである。
【背景技術】
【０００２】
従来、溶液の機能・性格等に大きく影響を与えているのは溶液中の結合物質、溶解物質、含有物質を構成している各種元素及び各種分子レベルの個々の物質物性が主であるとされてきた。そのため、従来は、物質物性に関する分析方法、分析機器の研究開発がなされてきた。「著書図解雑学電磁波（株式会社ナツメ社発行、麻生修、二間瀬敏史著）」に、「電波の最も特徴的な方法は通信の分野であるが電波はそのほかにも電波分光という分野で利用される。分光とは物質に光（可視光）を当てて、その吸収や反射の様子（スペクトル）を調べることで物質の性質を調べることだが、電波分光ではおもに電子や原子核に電場や磁場を外から加え、そこに電波を当てて物質の性質を調べる。この測定によって電子や原子核の性質が飛躍的に理解されるようになった。」と明言されている。従来の分析器は原子レベルの物質解析の範疇を超えるものではないことが明らかである。量子力学分野の理論物理学的には、先人は振動原理で秩序の進化を説き、物質の生成、並びに、目で見えぬ各種エネルギーを含む総合的影響を性格として捉えていた。しかし、水溶液および水を主とした液状物において、この理論を顕在化実証する簡易的な具体的現象創出技術・装置は、近年特許出願されている特願２００３−３８７５８６「水溶液中の模様の光学顕微鏡観察方法」以外には見受けられない。
【発明の開示】
【発明が解決しようとする課題】
【０００３】
物体及びエネルギーは、物体と物体、エネルギーとエネルギー、あるいは、物体とエネルギー相互間において、相互に影響を与えるのは、原子や分子が単独で働きかけているのではなく、秩序の進化毎の塊の集合体としての相互作用の結果発露された合成力で作用しているものと判断されている。その作用の原点は液状物の電気双極子（ダイポール）状態によるものといわれている。液状物の水をも含む構成物質及び印加電磁気エネルギーの相互作用により合成された荷電粒子、あるいはコロイド粒子等による液体の集合状態が醸し出している揺らぎ微振動波の振動数、波形、波高と推察されている。特に、場の相互作用の結果生じた合成連成波としての振動数が大きく影響しているものと判断している。前記「著書図解雑学電磁波」に「ある波長の電磁波を検出するためには、その電磁波と相互作用を行う物質が必要である。電磁波と物質の相互作用とは、ミクロのレベルで見ると物質を構成する原子や分子が電磁波を吸収し、放出する現象である。原子や分子が吸収・放出できる電磁波の波長は、その種類によって異なる。したがって特定の原子や分子は、特定の波長の電磁波としか相互作用しない。そして相互作用しない物質に対して、電磁波は素通りするだけである。」と記述されている。これらの説明も原子、分子の構成物質レベルを対象としたものであり、マクロ的に存在している集合体への適用発展は全く窺えない。但し、「相互作用しない物質に対して、電磁波は素通りするだけである」とする見解は本件発明者らの秩序進化の集合体の持つ相互作用力が、ある特定の中・長波長域の電磁波と影響しあい、その電磁波の透過に絡んでいるとの推測を裏付ける十分な学術資料価値であると受け取ることが出来る。
【０００４】
「素粒子や光もこの世に存在するものは全て振動しており、物質やエネルギーもその振動の合成物である」と量子物理学の世界的大家エルヴィン・シュレディンガー博士はその著書「生命とは何か」の中で説いている。また彼は「物理法則は原子に関する統計に基くものであり、近似的なものにすぎない」と喝破し、「生物体の働きには正確な物理法則が要る」としている。原子核然り、原子然り、各分子然り、ナノ粒子然り、細胞然り、人間然り、これらは揺らぎ凝集が秩序の進化とともにより高度な物体を創出している事実として、万人の目にも明らかである。また、ノーベル物理学賞受賞の朝永振一郎博士は「すべてのモノの理は周波数で現される」とも説いている。
【０００５】
物理学者梅沢博臣博士と高橋康博士は量子場脳理論の中で次のように説明している。
「頭蓋の中の電磁場と相互作用する脳細胞の水の電気双極子の凝集場は電磁場の波動運動と同期（シンクロナイズ）することにより、広範囲にわたって電磁場との間の連成波としてのダイナミカルな秩序を生み出すことができる。」。
【０００６】
「物理学の用語で連成波というのは２種類の場の間での連なった波動運動のことで、いまの場合は水の電気双極子の凝集場の波動運動と電磁場の波動運動が同期して連なっている、ある意味で秩序だった運動状態を示している。」。
【０００７】
「実際に脳細胞を構成している脂質やタンパク質などの生体物質の詳細な原子配列や物理的性質がわかったとしても、それが無数に複雑に組み合わさってマクロのスケールの物質となったときにもっとも重要となるのは、個々の構成物質の詳細によらずに与えられる全体的で大まかな性質だけになる。そして、電磁場の波動運動のように広範囲に広がる物理的な対象との間の影響を見ていく場合には、特に顕著になってくる。このような理由で、理論物理学では、ミクロの世界での物質場の量子が凝集してマクロのスケールにまでなった物質と電磁場の総合作用を考えるとき、第一近似として凝集体を電気双極子場や磁気双極子場としてみなしている。」。
【０００８】
川田薫理学博士は論文「シリケート４面体の生体に及ぼす影響」の中で「ミネラルの集合体である２０〜３０オングストロームの球状粒子がブルブル振るえ活発に振動し、水凝集場の秩序維持に関与し、水の階層構造をかもし出している」と説いている。同博士は論文発表の中で、溶液の液体窒素による急速凍結による電子顕微鏡写真で秩序ある水の階層構造を提示している。
【０００９】
幸いにして、本件発明者らは、特願２００３−３８７５８６「水溶液中の模様の光学顕微鏡観察方法」により、溶液の性質は、溶液が微乾燥されるときに懸濁物質の集合体模様の変化に具象化されることを確認している。
【００１０】
本件発明者らは上記各論文・書籍並びに光学顕微鏡の特殊観察実例を参考に、長年鋭意研究を重ねた結果、液状物の性格は秩序進行段階に応じた独自の振動を有し、影響しあって、その液状物独自の場の相互作用の連成的合成波動を有しており、その発信波動はその液状物独自のマクロな性格を現していると判断することができた。更に、この判断に立脚して、透過、反射、減衰、共振現象による特定パルス伝達場としての溶液のマクロな性格は、合成的連成波として顕在化できるだろうと推察し、その顕在化の原点を「透過、反射、減衰、共振現象による電磁気振動波（パルス）の振動数毎の透過力」と捉え、その電気的電圧変化値でもって顕在化することとした。前記したエルヴィン・シュレディンガー博士の論旨を要約すれば「溶液の中の水分子はそこに存在隣接するミネラルや有機体により、電磁気的双極子なるが故に影響を受け、存在するための制約を受け秩序性を維持している。しかしその秩序性の度合いはそこに存在隣接するミネラルや有機体により異なり、その液状物質の階層構造にも変化を与えている。これらすべての影響を体表現している凝集体塊毎の振動がある」と言える。本件発明者らは本件発明おいて、これら振動を総称して「揺らぎ微振動波」と呼ぶことにした。当然のことながら、伝達場としての水溶液及び水を主とした液状物のマクロな存在状態「揺らぎ微振動波」すなわち性格を診る方法は上記特願２００３−３８７５８６「水溶液中の模様の光学顕微鏡観察方法」があるが、揺らぎ微振動波を焦点に当てた電磁気的解析法は未だ開発されていない。
【００１１】
従来は、実在系の水の性質を良く表すことが出来るよう、水分子の振動・回転・並進運動を捉える赤外線吸収法やラマン散乱法、中性子非弾性散乱法があり、Ｘ線・中性子・電子線解析により解読されている。また、細胞等の物体としての全体像把握のためには超音波が用いられている。がしかし、これらは、ものの大きさこそ異なるが、あくまで物質対象の反射波や吸収波の度合いの分析であり、個々の構成物質の存在確認に過ぎず、我々が解決しようとしているマクロな性格とは異なるものである。また、マイクロ波の医療への応用ではジアテルミ療法やハイパーサーミアがあるが、特定の中・長波、マイクロ波、波長域の電磁波の波長相互作用による加温効果を利用したものが開発されている。しかし、熱作用利用のみであり、それ以外の何者でもなく、特定信号として捉えていない。本件発明者らは、液状物の場のエネルギー影響を含むマクロな性格は上述の如く連成的合成波に現されているとし、透過、反射、減衰、共振・同調の相互作用による電磁気振動波（パルス）の交番周波数毎の時間的平均電位差絶対値を読み取り、コンピュータにて、その変化値を測定範囲帯で掃引したものを波形図として具象化し、その被検体溶液の性格と位置づけた。人間に例えていうならば、人体の外見ならびに構成部分の分析はできたが、心の分析までには至っていないということである。我々はこの心の分析をして、存在物質のマクロの性格把握をし、従来の各種分析手法データに重ね合わせて、より正確に液状物の性格（液状物の本質）を捉えようとするものである。
【課題を解決するための手段】
【００１２】
従来は液中における信号としては音波が主体であり、物質分析では波長の短い近赤外線以下のものが使用されていた。数年前よりサブミリ波といわれる振動数がテラヘルツレベルのものが開発され、癌発見用に利用されているといわれている。本件発明者らは実験により、ある周波数帯域のパルスであれば、反射、吸収、減衰、共振等の相互作用によって液状物中を透過すること、透過したパルスの電圧変化（入力パルスとのレベル差）で顕在化可能であることを究明した。
【００１３】
本件発明者らは、先人が教える量子場の理論物理学に則り、液状物を、従来タブーとされていた長・中波のパルス伝達場として捉え、１９９８年以来、試行錯誤を繰り返し、７年の歳月を経て、確実に再現性を確認できる液状物性格評価方法とそれに使用される液状物性格分析電波分光器を発明した。この発明は以下のようなものである。
【００１４】
本願の請求項１記載の液状物性格分析評価方法は、被検体である液状物中に浸漬されている電波送信針から液状物中にパルスを送信し、液状物中で透過、反射、減衰、共振等により変動したパルスを液状物中に前記電波送信針と離して浸漬されている電波受信針で受信し、前記送信パルスと受信パルスのレベル差（時間的平均電位差絶対値）を検知し、検知された信号を演算処理して波形図を作成し、その波形図を比較用溶液波形図と対比して、液状物の性格を分析評価する方法である。
【００１５】
本願の請求項２記載の液状物性格分析評価方法は、請求項１記載の液状物性格分析評価方法において、液状物中の電波送信針から送信する送信パルスが周波数１ｋＨｚ〜１０ＭＨｚのパルスであり、任意周波数間隔で送信されるパルスが全計測周波数帯域を任意時間内でスキャニングされて電波送信針から液状物中にパルスが送信される方法である。
【００１６】
本願の請求項３記載の液状物性格分析評価方法は、請求項１又は請求項２記載の液状物性格分析評価方法において、グラフは周波数と電圧との関係を表示するものである。
【００１７】
本願の請求項４記載の液状物性格分析電波分光器は、周波数の異なるパルスを発振する可変パルス発生器と、可変パルス発生器から発生するパルスを被検体の液状物内に送信する電波送信針と、液状物からパルスを受信する電波受信針と、電波送信針へ送信される送信パルスと電波受信針で受信された受信パルスのレベル差を検出する検出部と、検出部で検出されたアナログ電圧をデジタル電圧に変換するＡ／Ｄ変換器と、変換されたデジタル信号を演算処理して波形図を作成する演算処理部と、可変パルス発生器の発信周波数を掃引する掃引器を備え、前記両電極は液状物内に離して浸漬され、掃引器は可変パルス発生器から発振されるパルスを６０〜１８０秒の間に、周波数１ｋＨｚ〜１０ＭＨｚの範囲で掃引して１ｋＨｚごとのパルスを発振させるものである。
【００１８】
本願の請求項５記載の液状物性格分析電波分光器は、請求項４記載の液状物性格分析電波分光器において、電波送信針と電波受信針の材質を金または金メッキ材としたものである。
【００１９】
本願の請求項６記載の液状物性格分析電波分光器は、請求項４又は請求項５記載の液状物性格分析電波分光器において、液状物内に浸漬された電波送信針と電波受信針の間隙を０．５ｍｍ〜１０ｍｍとしたものである。
【発明の効果】
【００２０】
本願の請求項１記載の液状物性格分析評価方法は次のような効果がある。
１．送信電極と受信電極を空気中に配置するのではなく、液状物中に浸漬するため、液状物中のパルスをダイレクトに計測することができ、他物質の影響を受けず測定精度が向上する。
２．送信電極と受信電極を液状物中に浸漬するため、液状物中のパルスの減衰、反射、透過、共振等の相互作用の影響によってレベル変化したパルスを受信することができ、その受信レベル液状物の性格を分析することができる。
３．送信パルスと受信パルスを演算処理して波形図を作成し、その波形図を比較用溶液波形図と対比観察して液状物の性格を分析評価するので、液状物の性格を波形図として目視により確認することができる。また、分析評価を迅速に得ることが出来るため現場向きの簡易式分析器である。さらに、従来の物質分析、物性分析を付け加えるならば、これまでにない液状物の本質を解析することが出来、今後の研究開発に大いに寄与できる。
４．１ｃｃ〜３ｃｃ程度の僅かな液状物（サンプル）でも分析、評価可能であるため、短時間で迅速、簡便な計測が可能であり、現場における比較検証分方法として最適であり、経済的でもある。
【００２１】
本願の請求項２記載の液状物性格分析評価方法は、前記効果の他に次のような効果もある。
１．液状物中に電波送信針から１ｋＨｚ〜１０ＭＨｚ周波数帯域のパルスを、任意時間内に、任意周波数間隔で入力するので、１ｋＨｚ〜１０ＭＨｚの広範囲に亘って夫々の周波数ごとのパルスのレベル変化を捉えて、液状物の性格を分析することができ、マクロな分析が可能となる。
２．液状物の電場、磁場の伝達場としての物質物性のみならず、履歴印加エネルギー影響をも表現するマクロ的な性格を、印加パルスの周波数ごとに読み取ることが出来る。
【００２２】
本願の請求項３記載の液状物性格分析方法は次のような効果がある。
１．波形図が電圧と周波数との関係を示すものであるため、これまで目で確認できなかった液状物の性格を、電圧と周波数の関係として目で確認することができるため液状物の性格を把握し易い。
【００２３】
本願の請求項４記載の液状物性格分析電波分光器は次のような効果がある。
１．可変パルス発生器（可変パルス発振器）と、電波送信針と、電波受信針と、検出部と、Ａ／Ｄ変換器と、演算処理部と、可変パルス発生器の発信周波数を掃引する掃引器で構成されるため、構成が簡潔である。
２．構成が簡潔であるため、取扱いも簡便であり、使い易く、１ｃｃ〜３ｃｃ程度の僅かな液状物（サンプル）でも分析、評価可能であるため、短時間で迅速、簡便な計測が可能であり、現場における比較検証分方法として最適であり、経済的でもある。
３．従来最も簡易で一般化しているラジオ用周波数の長波、中波領域の波長帯である１ｋＨｚ〜１０ＭＨｚの範囲の周波数を使用するので、装置製作が容易で、経済的である。
４．掃引器が可変パルス発生器から発振されるパルスを６０〜１８０秒の間に、周波数１ｋＨｚ〜１０ＭＨｚの範囲で掃引して１ｋＨｚごとのパルスを発振させるものであるため、液状物の性格を１ｋＨｚ〜１０ＭＨｚの広帯域に亘って分析することができ、分析精度が向上する。
【００２４】
本願の請求項５記載の液状物性格分析電波分光器は、電波送信針と電波受信針の材質が金または金メッキ材であるため、次のような効果がある。
１．前記両針の導電性が良く、パルスの伝達性が良く、安定した計測ができ、微細なパルス変動をも検知することができ、高精度の液状物の性格分析が可能となる。
２．加工が容易である。
３．部品が安定し入手が容易である。
４．変質が少なく、保守管理が容易で、長持ちし、経済的である。
【００２５】
本願の請求項６記載の液状物性格分析電波分光器は、液状物内に浸漬された電波送信針と電波受信針の間隙が０.５ｍｍ〜１０ｍｍと狭いため、次のような効果がある。
１．前記両針間で液状物の性格の以外の影響を受けにくく、パルスの伝達性が良く、安定した計測ができ、液状物の性格を正確に計測することができる。
２．被検体である液状物のサンプル量が少なく、多種多様の水溶液および水を主とした液状物の性格が分析可能である。サンプルの無駄が少なく、経済的である。
３．分析電波分光器がコンパクトで、設置場所もとらず、移動が容易であり、現場品質管理分析器として最適である。
【発明を実施するための最良の形態】
【００２６】
（実施形態１）
本願発明の液状物性格分析評価方法は、図２２の性格分析電波分光器を使用して液状物の性格を分析し評価する方法であり、図２２の可変パルス発生器（可変パルス発振器）１から発振されたパルスを、容器２内の被検体である液状物３内に浸漬した電波送信針（パルス入力電極）４から液状物３内に入力し、液状物３内で減衰、反射、透過、共振等の相互作用の影響によってレベル変化したパルスを液状物３内に浸漬した電波受信針（パルス出力電極）５で受信し、電波受信針５で受信した受信パルス（出力パルス）と、可変パルス発生器１から発振されて電波送信針４に送信された送信パルス（入力パルス）とのレベル差（時間的平均電位差絶対値）を、検出部６で検出し、検出したパルスをＡ／Ｄ変換器７でデジタル信号（電圧）に変換し、それをコンピュータの演算処理部９で演算処理して波形図を作成し、その波形図を比較用溶液波形図と対比観察して液状物の性格を分析評価する。この場合、本件発明者らは、可変パルス発生器１から電圧１〜１０Ｖのパルスを発振させ、更に、可変パルス発生器１の発振周波数を掃引手段（掃引器）８で掃引して周波数１ｋＨｚ〜１０ＭＨｚのパルスを、６０〜１８０秒の間に１ｋＨｚごとに発振させて電波送信針４に入力したところ、液状物３の性格を１ｋＨｚ〜１０ＭＨｚの帯域に亘って、１ｋＨｚごとに読み取ることができ、また、電波送信針４、電波受信針５の材質を金または金メッキ材とするとパルスの伝達性が良く、安定した計測ができた。液状物３内に浸漬した電波送信針４と電波受信針５の間隙を０．５〜１０ｍｍを範囲内とすると、パルスの伝達性が良く、安定した計測ができた。本発明では、可変パルス発生器と掃引器が一体の掃引可変パルス発振器を使用することもできる。電波送信針、電波受信針の太さ、長さは任意のものを選択することができる。例えば、太さは０．５ｍｍ〜１．５ｍｍ、長さは１０ｍｍ〜１５ｍｍが好ましい。
【００２７】
本発明の波形図の一例を図１〜図１５に示す。こられ波形図は、電波受信針５から５Ｖ
、周波数１ｋＨｚ〜４ＭＨｚのパルスを、５０秒の間に１ｋＨｚごとに印加したパルスのレベルと、そのときに電波受信針５で受信されたパルスのレベルの差（以下「レベル差」という。）を、１ｋＨｚごとにプロットして表示したものであり、横軸に周波数（ｋＨｚ）、縦軸に電圧レベル（Ｖ）が表示されている。これら波形図はパルス伝達場である液状物の総合的な性格に起因するパルスのレベル差の変化が表示されたものである。
【００２８】
前記波形図において電圧差が「０Ｖ」の場合は、パルスが液状物内を１００％透過して電波受信針５でキャッチされた場合であり、電位差が全くなかったことを意味している。電圧差が「５Ｖ」の場合はパルスが液状物内の相互作用で電気エネルギーが総て吸収されて電波受信針５に全く受信されなかったことを意味している。電圧差が中間値（例えば２．５Ｖ）の場合は、パルスがその液状物内の相互作用により電気エネルギーが減衰・吸収されて半分だけ（２．５Ｖ）電波受信針５で受信されたことを意味している。波形図が広く低周波数域から高周波数域に広がる場合（例えば図１２）は、液状物中に含有されている物質の種類が多く、電磁気的拘束力が減少していることを示している。純粋な水になればなるほど波形は上端が尖鋭な山形の様相で低周波側に寄っている（例えば図１）。ミネラル濃縮液の波形図（図１２）、熟成液肥の場合の波形図（図１３）はかなり広い帯域幅となり高周波側に移動する。電解イオン的影響の強いときは高周波側の波形が減衰して（図１１）、単純台形波形に近づいてくる。物質の拘束により、その物質の影響力が全くない如き様相を呈する。波形図の比較例を以下に示す。
【００２９】
図１は有限会社川田研究所精製の逆浸透膜（ＲＯ）処理水と超純水の波形図である。図２はＯ市水道水と市販のサイババの水と霊波の光の御神水の波形図である。両波形図から明らかなように、溶解物の少ない水は８００〜１７００ｋＨｚの間でレベル差が大きくなっている。本件発明者らは、海外のミネラルウォーター産出地で濾過処理後さらにミネラル添加したミネラルウォーターも同形の波形図となることを確認している。
【００３０】
図３はＯ市水道水の波形図である。これは残留塩素がある場合（黒線波形図：水道水を汲んでから間もなく）とない場合（茶線波形図：一昼夜汲み置き後）では大きく変化が見られる。図２の黒線波形図と図３の黒線波形図（残留塩素がある場合）の波形は極似しており、分析の再現性が信頼できる。また、図３の黒線波形図に対する茶線波形図の広がりは塩素による他物質の拘束力が開放された状態である。図１６の顕微鏡写真１Ａの残留塩素がある場合と図１６の顕微鏡写真１Ｂの残留塩素がない場合の比較を見れば明らかに拘束力の差が確認できる。
【００３１】
図４と図５はＦ薬品工業社製の生理食塩水の波形図である。両波形図は２５００〜３５００ｋＨｚ帯域の波形が全く異なる。この違いは構成物資であるＮａＣｌ９９．５％以外の０．５％の他物質（ミネラル）の差が影響しているものと思われる。この違いは図１７の顕微鏡写真２Ａ、Ｂの比較で明らかなように模様の変化としても表れている。
【００３２】
図６と図７は液状物が低温サウナ石の湯に入った時の異なる２人の人間の汗の波形図である。図６の黒線波形図はＮ氏第１回目入浴発汗、ピンク線波形図はＮ氏第４回目入浴発汗の波形図、図７の黒線波形図はＨ氏第１回目入浴発汗、ピンク線波形図はＨ氏第４回目入浴発汗の波形図である。両図から両氏の変化（黒線波形図からピンク線波形図への変化）の同傾向であることが分る。両図における黒線波形図とピンク線波形図の変化は含有ミネラルの差が影響しているものと思われる。この変化は図１８の顕微鏡写真３Ａ〜Ｄでも分かるように、ミネラル分が変化した結果、第１回目入浴発汗よりも第４回目入浴発汗の方が両氏とも秩序ある集合体模様を呈していることからも分かる。
【００３３】
図８は液状物が点滴用ブドウ糖ソルデム３Ａの場合、図９は点滴用アミノ酸テルフィスの場合である。このような波形図は他の系統の医薬品でも得られるものと推測できる。これら波形図より医薬品の波形図を特定し、特定された波形図とそれら医薬品の他の波形図とを比較することにより、それら医薬品の管理を行うこともできる。この場合も図１９の顕微鏡写真と併用して比較するとより適切な管理が可能となる。図１９の顕微鏡写真４Ａは前記ソルデム３Ａ（ブドウ糖系）の模様であり、図１９の顕微鏡写真４Ｂは前記テルフィス（アミノ酸系）の模様である。
【００３４】
図１０は市販の精製水の波形図（黒線波形図）と、その精製水に特許第３６５８２９４号の段落番号（０００６）に開示のソフトセラミックス（遠赤外線放射資材）を浸漬した場合の精製水の波形図（茶線波形図）であり、他の水源等において、この茶線波形図と同様の波形図が得られたときは、ソフトセラミックスの性能が十分であると確認することができる。すなわち、ソフトセラミックスの性能チェックができる。図１１は水道水の波形図（黒線波形図）と、ソフトセラミックスを浸漬した水道水（波動水）の波形図（茶線波形図）であり、茶線波形図が黒線波形図よりも広範囲に広がっていることから、ソフトセラミックスの水質浄化力（水と含有物の分離力）の機能向上を窺うことができる。
【００３５】
図１２は有限会社川田研究所の精製ミネラル３種類（商品名：石のしずくWhite、石のしずくRed、石のしずくBlack）の波形図である。黒線波形図は石のしずくWhite、ピンク波形図は石のしずくRed、破線波形図は石のしずくBlackの波形図である。これら波形図はいずれも帯域が広く、しかも高周波側に寄っていることから、多くの種類のミネラルが含まれていることが本件発明者らの実験により確認されている。このことは、図２０に示す前記３種類の精製ミネラルの顕微鏡写真５Ａ〜Ｃからも窺うことができる。図２０の顕微鏡写真５Ａ〜Ｃの球状模様はミネラルの集合体である。球状模様内が黒くなっている方が、白い方よりもミネラルが凝集している（ミネラルの量及び種類が多い）ことを示している。
【００３６】
図１３はＴ牧場の液肥（活性水）の波形図である。この波形図も帯域が広く、しかも高周波側に寄っていることから、多くの種類のミネラルが含まれていることが本件発明者らの実験により確認されている。
【００３７】
図１４は精製水に有限会社川田研究所の前記精製ミネラル３種類を夫々５００ｐｐｍ添加したときの波形図である。黒線波形図は石のしずくRed、ピンク線波形図は石のしずくWhite、破線波形図は石のしずくBlackを夫々添加したときの波形図である。図１２の波形図（前記３種類のミネラル波形図）との比較から、ミネラル添加量による精製水の性格変化を窺い知ることができる。この性格変化から商品の品質の比較検討に的確且つ簡易に利用できる。この場合も図２１の顕微鏡写真６Ａ〜Ｃと併用するのがよい。図２１の顕微鏡写真６Ａ〜Ｃよりミネラルの種類が多く、凝集力が強い（種類が多いほど写真の黒い線状部分が濃くなる：パルスが透過しにくくなる）。顕微鏡写真６Ａは図１４の黒線波形図（石のしずくRed）、顕微鏡写真６Ｂは図１４のピンク線波形図（石のしずくWhite）、顕微鏡写真６Ｃは図１４の破線波形図（石のしずくBlack）に夫々対応する。
【００３８】
図１５の黒線波形図は、照射水（Ｂ水）の波形図である。Ｂ水は本件発明の発明者である渡辺静穂が開発したものであり、水道水（図１５のピンク線波形図）に電磁気エネルギーを照射した水である。図１５の黒線波形図では１〜６００ｋＨｚ帯域と、７００〜１４００ｋＨｚ帯域の二ヶ所に高い電圧差が見られる。これは、水道水に照射したエネルギーの影響によることが本件発明者らの実験により確認されている。このことから、エネルギーにより液状物の性格が変化することが分かり、水のエネルギー分析も可能となる。
【００３９】
前記各種波形図は図２２の演算処理回路により作成される。これら波形図を溶液別の比較用基本波形図（液状物の性格が把握されている）と比較することにより、各種液状物の性格分析、評価が可能となる。前記比較用基本波形図は本願発明の前記計測方法と同じ計測方法により予め計測して得ておくことができる。この性格把握には液状物の表面張力等の物性値や、特願２００３−３８７５８６「水溶液中の模様の光学顕微鏡観察方法」をも前記のように参考にすることができる。この光学顕微鏡観察方法により得られる顕微鏡写真（例えば図１６〜２１）は物質構成により集合構成物質による独特の模様を呈しており、この写真と併用することにより、波形図だけの場合よりもより詳細な性格分析が可能となる。これは水溶液及び水を主とした液状物は何らかの電気双極子並びに磁気双極子を帯びた隗の集合物であり電場／磁場の連成波電磁場であり、その溶液の微乾燥した時の集合模様に絶大な影響を及ぼしていると同時に隗の集合物が電波透過に共振・同調を始め、透過、反射、減衰等大いに影響を与えていることから導き出される。この影響を与える原点が振動数、つまり周波数によるものであることは先人の参考文献例で前述した通りである。
【産業上の利用可能性】
【００４０】
本願発明の液状物性格分析評価方法は、水溶液や水を主とする液状物の性格を検知し、評価する基本発明であり、水溶液や水を主とする液状物の研究開発、飲料業界、医薬品業界における水溶液や水を主とする液状物の品質管理には欠かすことのできない評価方法である。本願発明の液状物性格分析電波分光器は現場において、水溶液や水を主とする液状物の性格を簡易に分析、評価することのできる分析器として利用できる。特に、水溶液内及び水を主とする液状物への添加物、添加エネルギーの比較検証には最適であり、一次産業生産現場、製造現場における経済的で、簡易で、簡便な水溶液内及び常温液状物質（溶液）の性格波形図の変化を読むことにおいて、その製造、生産品の品質の適、不適が判断できる。また研究開発の新たな切り込み手法として貴重なものである。
【図面の簡単な説明】
【００４１】
【図１】本発明の液状物性格分析電波分光器で分析され、作成された液状物（超純水、ＲＯ水）の性格の一例を示す波形図。
【図２】本発明の液状物性格分析電波分光器で分析され、作成された他の液状物（水道水、サイババの水、霊波の光の御神水）の性格の一例を示す波形図。
【図３】本発明の液状物性格分析電波分光器で分析され、作成された他の液状物（汲んで間もない水道水、汲み置き後の水道水）の性格の一例を示す波形図。
【図４】本発明の液状物性格分析電波分光器で分析され、作成された他の液状物（Ｆ薬品工業社製の生理食塩水１）の性格の一例を示す波形図。
【図５】本発明の液状物性格分析電波分光器で分析され、作成された他の液状物（Ｆ薬品工業社製の生理食塩水２）の性格の一例を示す波形図。
【図６】本発明の液状物性格分析電波分光器で分析され、作成された他の液状物（Ｎ氏汗１：第１回目入浴発汗、Ｎ氏汗２：第４回目入浴発汗）の性格の一例を示す波形図。
【図７】本発明の液状物性格分析電波分光器で分析され、作成された他の液状物（Ｈ氏汗１：第１回目入浴発汗、Ｈ氏汗２：第４回目入浴発汗）の性格の一例を示す波形図。
【図８】本発明の液状物性格分析電波分光器で分析され、作成された他の液状物（点滴用ブドウ糖ソルデム３Ａ）の性格の一例を示す波形図。
【図９】本発明の液状物性格分析電波分光器で分析され、作成された他の液状物（点滴用アミノ酸テルフィス）の性格の一例を示す波形図。
【図１０】本発明の液状物性格分析電波分光器で分析され、作成された他の液状物（精製水、ソフトセラミックスを浸漬した精製水）の性格の一例を示す波形図。
【図１１】本発明の液状物性格分析電波分光器で分析され、作成された他の液状物（水道水、ソフトセラミックスを浸漬した水道水（波動水））の性格の一例を示す波形図。
【図１２】本発明の液状物性格分析電波分光器で分析され、作成された他の液状物（石のしずくWhite、石のしずくRed、石のしずくBlack）の性格の一例を示す波形図。
【図１３】本発明の液状物性格分析電波分光器で分析され、作成された他の液状物（Ｔ牧場の液肥（活性水））の性格の一例を示す波形図。
【図１４】本発明の液状物性格分析電波分光器で分析され、作成された他の液状物（石のしずくRed添加の精製水、石のしずくWhite添加の精製水、石のしずくBlack添加の精製水）の性格の一例を示す波形図。
【図１５】本発明の液状物性格分析電波分光器で分析され、作成された他の液状物（電磁気エネルギー照射水（Ｂ水）、水道水）の性格の一例を示す波形図。
【図１６】Ｏ市水道水の顕微鏡写真。
【図１７】Ｆ薬品工業社製の生理食塩水の顕微鏡写真。
【図１８】Ｎ氏、Ｈ氏の低温サウナ石の湯入浴発汗の顕微鏡写真。
【図１９】点滴用ブドウ糖ソルデム３Ａ、点滴用アミノ酸テルフィスの顕微鏡写真。
【図２０】有限会社川田研究所の精製ミネラル３種類（商品名：石のしずくWhite、石のしずくRed、石のしずくBlack）の顕微鏡写真。
【図２１】精製水に有限会社川田研究所の精製ミネラル３種類（商品名：石のしずくWhite、石のしずくRed、石のしずくBlack）を夫々５００ｐｐｍ添加したものの顕微鏡写真。
【図２２】本発明の液状物の性格分析電波分光器の一例を示す説明図。
【符号の説明】
【００４２】
１  可変パルス発生器（可変パルス発振器）
２  容器
３  液状物
４  電波送信針（パルス入力電極）
５  電波受信針（パルス出力電極）
６  検出部
７  Ａ／Ｄ変換器
８  掃引器
９  演算処理部
【図１】
2007040924.tif 000003
【図２】
2007040924.tif 000004
【図３】
2007040924.tif 000005
【図４】
2007040924.tif 000006
【図５】
2007040924.tif 000007
【図６】
2007040924.tif 000008
【図７】
2007040924.tif 000009
【図８】
2007040924.tif 000010
【図９】
2007040924.tif 000011
【図１０】
2007040924.tif 000012
【図１１】
2007040924.tif 000013
【図１２】
2007040924.tif 000014
【図１３】
2007040924.tif 000015
【図１４】
2007040924.tif 000016
【図１５】
2007040924.tif 000017
【図１６】
2007040924.tif 000018
【図１７】
2007040924.tif 000019
【図１８】
2007040924.tif 000020
【図１９】
2007040924.tif 000021
【図２０】
2007040924.tif 000022
【図２１】
2007040924.tif 000023
【図２２】
2007040924.tif 000024
【手続補正書】
【提出日】平成18年7月10日(2006.7.10)
【手続補正１】
【補正対象書類名】特許請求の範囲
【補正対象項目名】全文
【補正方法】変更
【補正の内容】
【特許請求の範囲】
【請求項１】
被検体である水溶液及び液状物中に浸漬されている太さ０．５ｍｍ〜１．５ｍｍの電波送信針から液状物中に電圧１〜１０Ｖのパルスを送信し、そのパルスは周波数１ｋＨｚ〜１０ＭＨｚの範囲を任意時間内で掃引して任意周波数間隔で送信し、液状物中で液状物の性格に基づく反射、減衰、共振等の相互作用を受けてレベル変動した液状物中を透過したパルスを、液状物中に前記電波送信針と０．５ｍｍ〜１０ｍｍ離して浸漬されている太さ０．５ｍｍ〜１．５ｍｍの電波受信針で受信し、前記送信パルスと受信パルスのレベル差を前記パルスの送信周波数間隔ごとに検知し、検知された信号を演算処理して周波数と電圧との関係を表示する波形図を作成し、その波形図を比較用溶液の周波数と電圧との関係を表示する波形図と対比して、液状物の性格を分析評価することを特徴とする液状物性格分析評価方法。
【請求項２】
周波数の異なるパルスを発振する可変パルス発生器と、可変パルス発生器から発生するパルスを被検体の液状物内に送信する電波送信針と、液状物からパルスを受信する電波受信針と、電波送信針へ送信される送信パルスと電波受信針で受信された受信パルスのレベル差を検出する検出部と、検出部で検出されたアナログ電圧をデジタル電圧に変換するＡ／Ｄ変換器と、変換されたデジタル信号を演算処理して周波数と電圧との関係を表示する波形図を作成する演算処理部と、可変パルス発生器の発信周波数を掃引する掃引器を備え、前記両電極は太さ０．５ｍｍ〜１．５ｍｍであり、その両電極が液状物内に０．５ｍｍ〜１０ｍｍ離して浸漬され、掃引器は可変パルス発生器から発振されるパルスを所定時間内（例えば６０〜１８０秒の間）に、周波数１ｋＨｚ〜１０ＭＨｚの範囲で掃引して任意周波数間隔（例えば１ｋＨｚごと）でパルスを発振させるものであり、前記波形図を作成する演算処理部は前記パルスの発振周波数間隔ごとに検知し、検知された信号を演算処理して前記波形図を作成するものであることを特徴とする液状物性格分析電波分光器。
【手続補正２】
【補正対象書類名】明細書
【補正対象項目名】全文
【補正方法】変更
【補正の内容】
【発明の詳細な説明】
【技術分野】
【０００１】
本発明は水溶液及び水を主とした液状物（以下これらをまとめて「液状物」という。）の性格の波形図（グラフ）による評価方法と、それに使用される液状物性格分析電波分光器（アクアアナライザー）に関するものであり、上水、下水、加工用水、機能水、飲料水、アルコール飲料、栄養飲料、食品液汁、液状医薬品等の性格判断、品質比較管理、品質分析に利用できるものである。本件発明のマクロ的な性格分析は非常に簡便で簡易にどこででも即座に利用でき、従来のミクロ的な物質分析、物性分析を加えれば液状物の本質をより正確に把握できるものである。
【背景技術】
【０００２】
従来、溶液の機能・性格等に大きく影響を与えているのは溶液中の結合物質、溶解物質、含有物質を構成している各種元素及び各種分子レベルの個々の物質物性が主であるとされてきた。そのため、従来は、物質物性に関する分析方法、分析機器の研究開発がなされてきた。「著書図解雑学電磁波（株式会社ナツメ社発行、麻生修、二間瀬敏史著）」に、「電波の最も特徴的な方法は通信の分野であるが電波はそのほかにも電波分光という分野で利用される。分光とは物質に光（可視光）を当てて、その吸収や反射の様子（スペクトル）を調べることで物質の性質を調べることだが、電波分光ではおもに電子や原子核に電場や磁場を外から加え、そこに電波を当てて物質の性質を調べる。この測定によって電子や原子核の性質が飛躍的に理解されるようになった。」と明言されている。従来の分析器は原子レベルの物質解析の範疇を超えるものではないことが明らかである。量子力学分野の理論物理学的には、先人は振動原理で秩序の進化を説き、物質の生成、並びに、目で見えぬ各種エネルギーを含む総合的影響を性格として捉えていた。しかし、水溶液および水を主とした液状物において、この理論を顕在化実証する簡易的な具体的現象創出技術・装置は、近年特許出願されている特願２００３−３８７５８６「水溶液中の模様の光学顕微鏡観察方法」以外には見受けられない。
【発明の開示】
【発明が解決しようとする課題】
【０００３】
物体及びエネルギーは、物体と物体、エネルギーとエネルギー、あるいは、物体とエネルギー相互間において、相互に影響を与えるのは、原子や分子が単独で働きかけているのではなく、秩序の進化毎の塊の集合体としての相互作用の結果発露された合成力で作用しているものと判断されている。その作用の原点は液状物の電気双極子（ダイポール）状態によるものといわれている。液状物の水をも含む構成物質及び印加電磁気エネルギーの相互作用により合成された荷電粒子、あるいはコロイド粒子等による液体の集合状態が醸し出している揺らぎ微振動波の振動数、波形、波高と推察されている。特に、場の相互作用の結果生じた合成連成波としての振動数が大きく影響しているものと判断している。前記「著書図解雑学電磁波」に「ある波長の電磁波を検出するためには、その電磁波と相互作用を行う物質が必要である。電磁波と物質の相互作用とは、ミクロのレベルで見ると物質を構成する原子や分子が電磁波を吸収し、放出する現象である。原子や分子が吸収・放出できる電磁波の波長は、その種類によって異なる。したがって特定の原子や分子は、特定の波長の電磁波としか相互作用しない。そして相互作用しない物質に対して、電磁波は素通りするだけである。」と記述されている。これらの説明も原子、分子の構成物質レベルを対象としたものであり、マクロ的に存在している集合体への適用発展は全く窺えない。但し、「相互作用しない物質に対して、電磁波は素通りするだけである」とする見解は本件発明者らの秩序進化の集合体の持つ相互作用力が、ある特定の中・長波長域の電磁波と影響しあい、その電磁波の透過に絡んでいるとの推測を裏付ける十分な学術資料価値であると受け取ることが出来る。
【０００４】
「素粒子や光もこの世に存在するものは全て振動しており、物質やエネルギーもその振動の合成物である」と量子物理学の世界的大家エルヴィン・シュレディンガー博士はその著書「生命とは何か」の中で説いている。また彼は「物理法則は原子に関する統計に基くものであり、近似的なものにすぎない」と喝破し、「生物体の働きには正確な物理法則が要る」としている。原子核然り、原子然り、各分子然り、ナノ粒子然り、細胞然り、人間然り、これらは揺らぎ凝集が秩序の進化とともにより高度な物体を創出している事実として、万人の目にも明らかである。また、ノーベル物理学賞受賞の朝永振一郎博士は「すべてのモノの理は周波数で現される」とも説いている。
【０００５】
物理学者梅沢博臣博士と高橋康博士は量子場脳理論の中で次のように説明している。
「頭蓋の中の電磁場と相互作用する脳細胞の水の電気双極子の凝集場は電磁場の波動運動と同期（シンクロナイズ）することにより、広範囲にわたって電磁場との間の連成波としてのダイナミカルな秩序を生み出すことができる。」。
【０００６】
「物理学の用語で連成波というのは２種類の場の間での連なった波動運動のことで、いまの場合は水の電気双極子の凝集場の波動運動と電磁場の波動運動が同期して連なっている、ある意味で秩序だった運動状態を示している。」。
【０００７】
「実際に脳細胞を構成している脂質やタンパク質などの生体物質の詳細な原子配列や物理的性質がわかったとしても、それが無数に複雑に組み合わさってマクロのスケールの物質となったときにもっとも重要となるのは、個々の構成物質の詳細によらずに与えられる全体的で大まかな性質だけになる。そして、電磁場の波動運動のように広範囲に広がる物理的な対象との間の影響を見ていく場合には、特に顕著になってくる。このような理由で、理論物理学では、ミクロの世界での物質場の量子が凝集してマクロのスケールにまでなった物質と電磁場の相互作用を考えるとき、第一近似として凝集体を電気双極子場や磁気双極子場としてみなしている。」。
【０００８】
川田薫理学博士は論文「シリケート４面体の生体に及ぼす影響」の中で「ミネラルの集合体である２０〜３０オングストロームの球状粒子がブルブル振るえ活発に振動し、水凝集場の秩序維持に関与し、水の階層構造をかもし出している」と説いている。同博士は論文発表の中で、溶液の液体窒素による急速凍結による電子顕微鏡写真で秩序ある水の階層構造を提示している。
【０００９】
幸いにして、本件発明者らは、特願２００３−３８７５８６「水溶液中の模様の光学顕微鏡観察方法」により、溶液の性質は、溶液が微乾燥されるときに懸濁物質の集合体模様の変化に具象化されることを確認している。
【００１０】
本件発明者らは上記各論文・書籍並びに光学顕微鏡の特殊観察実例を参考に、長年鋭意研究を重ねた結果、液状物の性格は秩序進行段階に応じた独自の振動を有し、影響しあって、その液状物独自の場の相互作用の連成的合成波動を有しており、その発信波動はその液状物独自のマクロな性格を現していると判断することができた。更に、この判断に立脚して、透過、反射、減衰、共振現象による特定パルス伝達場としての溶液のマクロな性格は、合成的連成波として顕在化できるだろうと推察し、その顕在化の原点を「透過、反射、減衰、共振現象による電磁気振動波（パルス）の振動数毎の透過力」と捉え、その電気的電圧変化値でもって顕在化することとした。前記したエルヴィン・シュレディンガー博士の論旨を要約すれば「溶液の中の水分子はそこに存在隣接するミネラルや有機体により、電磁気的双極子なるが故に影響を受け、存在するための制約を受け秩序性を維持している。しかしその秩序性の度合いはそこに存在隣接するミネラルや有機体により異なり、その液状物質の階層構造にも変化を与えている。これらすべての影響を体表現している凝集体塊毎の振動がある」と言える。本件発明者らは本件発明おいて、これら振動を総称して「揺らぎ微振動波」と呼ぶことにした。当然のことながら、伝達場としての水溶液及び水を主とした液状物のマクロな存在状態「揺らぎ微振動波」すなわち性格を診る方法は上記特願２００３−３８７５８６「水溶液中の模様の光学顕微鏡観察方法」があるが、揺らぎ微振動波を焦点に当てた電磁気的解析法は未だ開発されていない。
【００１１】
従来は、実在系の水の性質を良く表すことが出来るよう、水分子の振動・回転・並進運動を捉える赤外線吸収法やラマン散乱法、中性子非弾性散乱法があり、Ｘ線・中性子・電子線解析により解読されている。また、細胞等の物体としての全体像把握のためには超音波が用いられている。がしかし、これらは、ものの大きさこそ異なるが、あくまで物質対象の反射波や吸収波の度合いの分析であり、個々の構成物質の存在確認に過ぎず、我々が解決しようとしているマクロな性格とは異なるものである。また、マイクロ波の医療への応用ではジアテルミ療法やハイパーサーミアがあるが、特定の中・長波、マイクロ波、波長域の電磁波の波長相互作用による加温効果を利用したものが開発されている。しかし、熱作用利用のみであり、それ以外の何者でもなく、特定信号として捉えていない。本件発明者らは、液状物の場のエネルギー影響を含むマクロな性格は上述の如く連成的合成波に現されているとし、透過、反射、減衰、共振・同調の相互作用による電磁気振動波（パルス）の交番周波数毎の時間的平均電位差絶対値を読み取り、コンピュータにて、その変化値を測定範囲帯で掃引したものを波形図として具象化し、その被検体溶液の性格と位置づけた。人間に例えていうならば、人体の外見ならびに構成部分の分析はできたが、心の分析までには至っていないということである。我々はこの心の分析をして、存在物質のマクロの性格把握をし、従来の各種分析手法データに重ね合わせて、より正確に液状物の性格（液状物の本質）を捉えようとするものである。
【課題を解決するための手段】
【００１２】
従来は液中における信号としては音波が主体であり、物質分析では波長の短い近赤外線以下のものが使用されていた。数年前よりサブミリ波といわれる振動数がテラヘルツレベルのものが開発され、癌発見用に利用されているといわれている。本件発明者らは実験により、ある周波数帯域のパルスであれば、反射、吸収、減衰、共振等の相互作用によって液状物中を透過すること、透過したパルスの電圧変化（入力パルスとのレベル差）で顕在化可能であることを究明した。
【００１３】
本件発明者らは、先人が教える量子場の理論物理学に則り、液状物を、従来タブーとされていた長・中波のパルス伝達場として捉え、１９９８年以来、試行錯誤を繰り返し、７年の歳月を経て、確実に再現性を確認できる液状物性格評価方法とそれに使用される液状物性格分析電波分光器を発明した。この発明は以下のようなものである。
【００１４】
本願の請求項１記載の液状物性格分析評価方法は、被検体である水溶液及び液状物中に浸漬されている太さ０．５ｍｍ〜１．５ｍｍの電波送信針から液状物中に電圧１〜１０Ｖのパルスを送信し、そのパルスは周波数１ｋＨｚ〜１０ＭＨｚの範囲を任意時間内で掃引して任意周波数間隔で送信し、液状物中で液状物の性格に基づく反射、減衰、共振等の相互作用を受けてレベル変動した液状物中を透過したパルスを、液状物中に前記電波送信針と０．５ｍｍ〜１０ｍｍ離して浸漬されている太さ０．５ｍｍ〜１．５ｍｍの電波受信針で受信し、前記送信パルスと受信パルスのレベル差を前記パルスの送信周波数間隔ごとに検知し、検知された信号を演算処理して周波数と電圧との関係を表示する波形図を作成し、その波形図を比較用溶液の周波数と電圧との関係を表示する波形図と対比して、液状物の性格を分析評価する方法である。
【００１５】
【００１６】
【００１７】
本願の請求項２記載の液状物性格分析電波分光器は、周波数の異なるパルスを発振する可変パルス発生器と、可変パルス発生器から発生するパルスを被検体の液状物内に送信する電波送信針と、液状物からパルスを受信する電波受信針と、電波送信針へ送信される送信パルスと電波受信針で受信された受信パルスのレベル差を検出する検出部と、検出部で検出されたアナログ電圧をデジタル電圧に変換するＡ／Ｄ変換器と、変換されたデジタル信号を演算処理して周波数と電圧との関係を表示する波形図を作成する演算処理部と、可変パルス発生器の発信周波数を掃引する掃引器を備え、前記両電極は太さ０．５ｍｍ〜１．５ｍｍであり、その両電極が液状物内に０．５ｍｍ〜１０ｍｍ離して浸漬され、掃引器は可変パルス発生器から発振されるパルスを所定時間内（例えば６０〜１８０秒の間）に、周波数１ｋＨｚ〜１０ＭＨｚの範囲で掃引して任意周波数間隔（例えば１ｋＨｚごと）でパルスを発振させるものであり、前記波形図を作成する演算処理部は前記パルスの発振周波数間隔ごとに検知し、検知された信号を演算処理して前記波形図を作成するものである。
【００１８】
【００１９】
【発明の効果】
【００２０】
本願の請求項１記載の液状物性格分析評価方法は次のような効果がある。
１．送信電極と受信電極を空気中に配置するのではなく、液状物中に浸漬するため、液状物中のパルスをダイレクトに計測することができ、他物質の影響を受けず測定精度が向上する。
２．送信電極と受信電極を液状物中に浸漬するため、液状物中のパルスの減衰、反射、透過、共振等の相互作用の影響によってレベル変化したパルスを受信することができ、その受信レベル液状物の性格を分析することができる。
３．送信パルスと受信パルスを演算処理して波形図を作成し、その波形図を比較用溶液波形図と対比観察して液状物の性格を分析評価するので、液状物の性格を波形図として目視により確認することができる。また、分析評価を迅速に得ることが出来るため現場向きの簡易式分析器である。さらに、従来の物質分析、物性分析を付け加えるならば、これまでにない液状物の本質を解析することが出来、今後の研究開発に大いに寄与できる。
４．１ｃｃ〜３ｃｃ程度の僅かな液状物（サンプル）でも分析、評価可能であるため、短時間で迅速、簡便な計測が可能であり、現場における比較検証分方法として最適であり、経済的でもある。
【００２１】
本願の請求項２記載の液状物性格分析評価方法は、前記効果の他に次のような効果もある。
１．液状物中に電波送信針から１ｋＨｚ〜１０ＭＨｚ周波数帯域のパルスを、任意時間内に、任意周波数間隔で入力するので、１ｋＨｚ〜１０ＭＨｚの広範囲に亘って夫々の周波数ごとのパルスのレベル変化を捉えて、液状物の性格を分析することができ、マクロな分析が可能となる。
２．液状物の電場、磁場の伝達場としての物質物性のみならず、履歴印加エネルギー影響をも表現するマクロ的な性格を、印加パルスの周波数ごとに読み取ることが出来る。
【００２２】
本願の請求項３記載の液状物性格分析方法は次のような効果がある。
１．波形図が電圧と周波数との関係を示すものであるため、これまで目で確認できなかった液状物の性格を、電圧と周波数の関係として目で確認することができるため液状物の性格を把握し易い。
【００２３】
本願の請求項４記載の液状物性格分析電波分光器は次のような効果がある。
１．可変パルス発生器（可変パルス発振器）と、電波送信針と、電波受信針と、検出部と、Ａ／Ｄ変換器と、演算処理部と、可変パルス発生器の発信周波数を掃引する掃引器で構成されるため、構成が簡潔である。
２．構成が簡潔であるため、取扱いも簡便であり、使い易く、１ｃｃ〜３ｃｃ程度の僅かな液状物（サンプル）でも分析、評価可能であるため、短時間で迅速、簡便な計測が可能であり、現場における比較検証分方法として最適であり、経済的でもある。
３．従来最も簡易で一般化しているラジオ用周波数の長波、中波領域の波長帯である１ｋＨｚ〜１０ＭＨｚの範囲の周波数を使用するので、装置製作が容易で、経済的である。
４．掃引器が可変パルス発生器から発振されるパルスを６０〜１８０秒の間に、周波数１ｋＨｚ〜１０ＭＨｚの範囲で掃引して１ｋＨｚごとのパルスを発振させるものであるため、液状物の性格を１ｋＨｚ〜１０ＭＨｚの広帯域に亘って分析することができ、分析精度が向上する。
【００２４】
本願の請求項５記載の液状物性格分析電波分光器は、電波送信針と電波受信針の材質が金または金メッキ材であるため、次のような効果がある。
１．前記両針の導電性が良く、パルスの伝達性が良く、安定した計測ができ、微細なパルス変動をも検知することができ、高精度の液状物の性格分析が可能となる。
２．加工が容易である。
３．部品が安定し入手が容易である。
４．変質が少なく、保守管理が容易で、長持ちし、経済的である。
【００２５】
本願の請求項６記載の液状物性格分析電波分光器は、液状物内に浸漬された電波送信針と電波受信針の間隙が０.５ｍｍ〜１０ｍｍと狭いため、次のような効果がある。
１．前記両針間で液状物の性格の以外の影響を受けにくく、パルスの伝達性が良く、安定した計測ができ、液状物の性格を正確に計測することができる。
２．被検体である液状物のサンプル量が少なく、多種多様の水溶液および水を主とした液状物の性格が分析可能である。サンプルの無駄が少なく、経済的である。
３．分析電波分光器がコンパクトで、設置場所もとらず、移動が容易であり、現場品質管理分析器として最適である。
【発明を実施するための最良の形態】
【００２６】
（実施形態１）
本願発明の液状物性格分析評価方法は、図２２の性格分析電波分光器を使用して液状物の性格を分析し評価する方法であり、図２２の可変パルス発生器（可変パルス発振器）１から発振されたパルスを、容器２内の被検体である液状物３内に浸漬した電波送信針（パルス入力電極）４から液状物３内に入力し、液状物３内で減衰、反射、透過、共振等の相互作用の影響によってレベル変化したパルスを液状物３内に浸漬した電波受信針（パルス出力電極）５で受信し、電波受信針５で受信した受信パルス（出力パルス）と、可変パルス発生器１から発振されて電波送信針４に送信された送信パルス（入力パルス）とのレベル差（時間的平均電位差絶対値）を、検出部６で検出し、検出したパルスをＡ／Ｄ変換器７でデジタル信号（電圧）に変換し、それをコンピュータの演算処理部９で演算処理して波形図を作成し、その波形図を比較用溶液波形図と対比観察して液状物の性格を分析評価する。この場合、本件発明者らは、可変パルス発生器１から電圧１〜１０Ｖのパルスを発振させ、更に、可変パルス発生器１の発振周波数を掃引手段（掃引器）８で掃引して周波数１ｋＨｚ〜１０ＭＨｚのパルスを、６０〜１８０秒の間に１ｋＨｚごとに発振させて電波送信針４に入力したところ、液状物３の性格を１ｋＨｚ〜１０ＭＨｚの帯域に亘って、１ｋＨｚごとに読み取ることができ、また、電波送信針４、電波受信針５の材質を金または金メッキ材とするとパルスの伝達性が良く、安定した計測ができた。液状物３内に浸漬した電波送信針４と電波受信針５の間隙を０．５〜１０ｍｍを範囲内とすると、パルスの伝達性が良く、安定した計測ができた。本発明では、可変パルス発生器と掃引器が一体の掃引可変パルス発振器を使用することもできる。電波送信針、電波受信針の太さ、長さは任意のものを選択することができる。例えば、太さは０．５ｍｍ〜１．５ｍｍ、長さは１０ｍｍ〜１５ｍｍが好ましい。
【００２７】
本発明の波形図の一例を図１〜図１５に示す。こられ波形図は、電波受信針５から５Ｖ、周波数１ｋＨｚ〜４ＭＨｚのパルスを、５０秒の間に１ｋＨｚごとに印加したパルスのレベルと、そのときに電波受信針５で受信されたパルスのレベルの差（以下「レベル差」という。）を、１ｋＨｚごとにプロットして表示したものであり、横軸に周波数（ｋＨｚ）、縦軸に電圧レベル（Ｖ）が表示されている。これら波形図はパルス伝達場である液状物の総合的な性格に起因するパルスのレベル差の変化が表示されたものである。
【００２８】
前記波形図において電圧差が「０Ｖ」の場合は、パルスが液状物内を１００％透過して電波受信針５でキャッチされた場合であり、電位差が全くなかったことを意味している。電圧差が「５Ｖ」の場合はパルスが液状物内の相互作用で電気エネルギーが総て吸収されて電波受信針５に全く受信されなかったことを意味している。電圧差が中間値（例えば２．５Ｖ）の場合は、パルスがその液状物内の相互作用により電気エネルギーが減衰・吸収されて半分だけ（２．５Ｖ）電波受信針５で受信されたことを意味している。波形図が広く低周波数域から高周波数域に広がる場合（例えば図１２）は、液状物中に含有されている物質の種類が多く、電磁気的拘束力が減少していることを示している。純粋な水になればなるほど波形は上端が尖鋭な山形の様相で低周波側に寄っている（例えば図１）。ミネラル濃縮液の波形図（図１２）、熟成液肥の場合の波形図（図１３）はかなり広い帯域幅となり高周波側に移動する。電解イオン的影響の強いときは高周波側の波形が減衰して（図１１）、単純台形波形に近づいてくる。物質の拘束により、その物質の影響力が全くない如き様相を呈する。波形図の比較例を以下に示す。
【００２９】
図１は有限会社川田研究所精製の逆浸透膜（ＲＯ）処理水と超純水の波形図である。図２はＯ市水道水と市販のサイババの水と霊波の光の御神水の波形図である。両波形図から明らかなように、溶解物の少ない水は８００〜１７００ｋＨｚの間でレベル差が大きくなっている。本件発明者らは、海外のミネラルウォーター産出地で濾過処理後さらにミネラル添加したミネラルウォーターも同形の波形図となることを確認している。
【００３０】
図３はＯ市水道水の波形図である。これは残留塩素がある場合（黒線波形図：水道水を汲んでから間もなく）とない場合（茶線波形図：一昼夜汲み置き後）では大きく変化が見られる。図２の黒線波形図と図３の黒線波形図（残留塩素がある場合）の波形は極似しており、分析の再現性が信頼できる。また、図３の黒線波形図に対する茶線波形図の広がりは塩素による他物質の拘束力が開放された状態である。図１６の顕微鏡写真１Ａの残留塩素がある場合と図１６の顕微鏡写真１Ｂの残留塩素がない場合の比較を見れば明らかに拘束力の差が確認できる。
【００３１】
図４と図５はＦ薬品工業社製の生理食塩水の波形図である。両波形図は２５００〜３５００ｋＨｚ帯域の波形が全く異なる。この違いは構成物資であるＮａＣｌ９９．５％以外の０．５％の他物質（ミネラル）の差が影響しているものと思われる。この違いは図１７の顕微鏡写真２Ａ、Ｂの比較で明らかなように模様の変化としても表れている。
【００３２】
図６と図７は液状物が低温サウナ石の湯に入った時の異なる２人の人間の汗の波形図である。図６の黒線波形図はＮ氏第１回目入浴発汗、ピンク線波形図はＮ氏第４回目入浴発汗の波形図、図７の黒線波形図はＨ氏第１回目入浴発汗、ピンク線波形図はＨ氏第４回目入浴発汗の波形図である。両図から両氏の変化（黒線波形図からピンク線波形図への変化）の同傾向であることが分る。両図における黒線波形図とピンク線波形図の変化は含有ミネラルの差が影響しているものと思われる。この変化は図１８の顕微鏡写真３Ａ〜Ｄでも分かるように、ミネラル分が変化した結果、第１回目入浴発汗よりも第４回目入浴発汗の方が両氏とも秩序ある集合体模様を呈していることからも分かる。
【００３３】
図８は液状物が点滴用ブドウ糖ソルデム３Ａの場合、図９は点滴用アミノ酸テルフィスの場合である。このような波形図は他の系統の医薬品でも得られるものと推測できる。これら波形図より医薬品の波形図を特定し、特定された波形図とそれら医薬品の他の波形図とを比較することにより、それら医薬品の管理を行うこともできる。この場合も図１９の顕微鏡写真と併用して比較するとより適切な管理が可能となる。図１９の顕微鏡写真４Ａは前記ソルデム３Ａ（ブドウ糖系）の模様であり、図１９の顕微鏡写真４Ｂは前記テルフィス（アミノ酸系）の模様である。
【００３４】
図１０は市販の精製水の波形図（黒線波形図）と、その精製水に特許第３６５８２９４号の段落番号（０００６）に開示のソフトセラミックス（遠赤外線放射資材）を浸漬した場合の精製水の波形図（茶線波形図）であり、他の水源等において、この茶線波形図と同様の波形図が得られたときは、ソフトセラミックスの性能が十分であると確認することができる。すなわち、ソフトセラミックスの性能チェックができる。図１１は水道水の波形図（黒線波形図）と、ソフトセラミックスを浸漬した水道水（波動水）の波形図（茶線波形図）であり、茶線波形図が黒線波形図よりも広範囲に広がっていることから、ソフトセラミックスの水質浄化力（水と含有物の分離力）の機能向上を窺うことができる。
【００３５】
図１２は有限会社川田研究所の精製ミネラル３種類（商品名：石のしずくWhite、石のしずくRed、石のしずくBlack）の波形図である。黒線波形図は石のしずくWhite、ピンク波形図は石のしずくRed、破線波形図は石のしずくBlackの波形図である。これら波形図はいずれも帯域が広く、しかも高周波側に寄っていることから、多くの種類のミネラルが含まれていることが本件発明者らの実験により確認されている。このことは、図２０に示す前記３種類の精製ミネラルの顕微鏡写真５Ａ〜Ｃからも窺うことができる。図２０の顕微鏡写真５Ａ〜Ｃの球状模様はミネラルの集合体である。球状模様内が黒くなっている方が、白い方よりもミネラルが凝集している（ミネラルの量及び種類が多い）ことを示している。
【００３６】
図１３はＴ牧場の液肥（活性水）の波形図である。この波形図も帯域が広く、しかも高周波側に寄っていることから、多くの種類のミネラルが含まれていることが本件発明者らの実験により確認されている。
【００３７】
図１４は精製水に有限会社川田研究所の前記精製ミネラル３種類を夫々５００ｐｐｍ添加したときの波形図である。黒線波形図は石のしずくRed、ピンク線波形図は石のしずくWhite、破線波形図は石のしずくBlackを夫々添加したときの波形図である。図１２の波形図（前記３種類のミネラル波形図）との比較から、ミネラル添加量による精製水の性格変化を窺い知ることができる。この性格変化から商品の品質の比較検討に的確且つ簡易に利用できる。この場合も図２１の顕微鏡写真６Ａ〜Ｃと併用するのがよい。図２１の顕微鏡写真６Ａ〜Ｃよりミネラルの種類が多く、凝集力が強い（種類が多いほど写真の黒い線状部分が濃くなる：パルスが透過しにくくなる）。顕微鏡写真６Ａは図１４の黒線波形図（石のしずくRed）、顕微鏡写真６Ｂは図１４のピンク線波形図（石のしずくWhite）、顕微鏡写真６Ｃは図１４の破線波形図（石のしずくBlack）に夫々対応する。
【００３８】
図１５の黒線波形図は、照射水（Ｂ水）の波形図である。Ｂ水は本件発明の発明者である渡辺静穂が開発したものであり、水道水（図１５のピンク線波形図）に電磁気エネルギーを照射した水である。図１５の黒線波形図では１〜６００ｋＨｚ帯域と、７００〜１４００ｋＨｚ帯域の二ヶ所に高い電圧差が見られる。これは、水道水に照射したエネルギーの影響によることが本件発明者らの実験により確認されている。このことから、エネルギーにより液状物の性格が変化することが分かり、水のエネルギー分析も可能となる。
【００３９】
前記各種波形図は図２２の演算処理回路により作成される。これら波形図を溶液別の比較用基本波形図（液状物の性格が把握されている）と比較することにより、各種液状物の性格分析、評価が可能となる。前記比較用基本波形図は本願発明の前記計測方法と同じ計測方法により予め計測して得ておくことができる。この性格把握には液状物の表面張力等の物性値や、特願２００３−３８７５８６「水溶液中の模様の光学顕微鏡観察方法」をも前記のように参考にすることができる。この光学顕微鏡観察方法により得られる顕微鏡写真（例えば図１６〜２１）は物質構成により集合構成物質による独特の模様を呈しており、この写真と併用することにより、波形図だけの場合よりもより詳細な性格分析が可能となる。これは水溶液及び水を主とした液状物は何らかの電気双極子並びに磁気双極子を帯びた隗の集合物であり電場／磁場の連成波電磁場であり、その溶液の微乾燥した時の集合模様に絶大な影響を及ぼしていると同時に隗の集合物が電波透過に共振・同調を始め、透過、反射、減衰等大いに影響を与えていることから導き出される。この影響を与える原点が振動数、つまり周波数によるものであることは先人の参考文献例で前述した通りである。
【産業上の利用可能性】
【００４０】
本願発明の液状物性格分析評価方法は、水溶液や水を主とする液状物の性格を検知し、評価する基本発明であり、水溶液や水を主とする液状物の研究開発、飲料業界、医薬品業界における水溶液や水を主とする液状物の品質管理には欠かすことのできない評価方法である。本願発明の液状物性格分析電波分光器は現場において、水溶液や水を主とする液状物の性格を簡易に分析、評価することのできる分析器として利用できる。特に、水溶液内及び水を主とする液状物への添加物、添加エネルギーの比較検証には最適であり、一次産業生産現場、製造現場における経済的で、簡易で、簡便な水溶液内及び常温液状物質（溶液）の性格波形図の変化を読むことにおいて、その製造、生産品の品質の適、不適が判断できる。また研究開発の新たな切り込み手法として貴重なものである。
【図面の簡単な説明】
【００４１】
【図１】本発明の液状物性格分析電波分光器で分析され、作成された液状物（超純水、ＲＯ水）の性格の一例を示す波形図。
【図２】本発明の液状物性格分析電波分光器で分析され、作成された他の液状物（水道水、サイババの水、霊波の光の御神水）の性格の一例を示す波形図。
【図３】本発明の液状物性格分析電波分光器で分析され、作成された他の液状物（汲んで間もない水道水、汲み置き後の水道水）の性格の一例を示す波形図。
【図４】本発明の液状物性格分析電波分光器で分析され、作成された他の液状物（Ｆ薬品工業社製の生理食塩水１）の性格の一例を示す波形図。
【図５】本発明の液状物性格分析電波分光器で分析され、作成された他の液状物（Ｆ薬品工業社製の生理食塩水２）の性格の一例を示す波形図。
【図６】本発明の液状物性格分析電波分光器で分析され、作成された他の液状物（Ｎ氏汗１：第１回目入浴発汗、Ｎ氏汗２：第４回目入浴発汗）の性格の一例を示す波形図。
【図７】本発明の液状物性格分析電波分光器で分析され、作成された他の液状物（Ｈ氏汗１：第１回目入浴発汗、Ｈ氏汗２：第４回目入浴発汗）の性格の一例を示す波形図。
【図８】本発明の液状物性格分析電波分光器で分析され、作成された他の液状物（点滴用ブドウ糖ソルデム３Ａ）の性格の一例を示す波形図。
【図９】本発明の液状物性格分析電波分光器で分析され、作成された他の液状物（点滴用アミノ酸テルフィス）の性格の一例を示す波形図。
【図１０】本発明の液状物性格分析電波分光器で分析され、作成された他の液状物（精製水、ソフトセラミックスを浸漬した精製水）の性格の一例を示す波形図。
【図１１】本発明の液状物性格分析電波分光器で分析され、作成された他の液状物（水道水、ソフトセラミックスを浸漬した水道水（波動水））の性格の一例を示す波形図。
【図１２】本発明の液状物性格分析電波分光器で分析され、作成された他の液状物（石のしずくWhite、石のしずくRed、石のしずくBlack）の性格の一例を示す波形図。
【図１３】本発明の液状物性格分析電波分光器で分析され、作成された他の液状物（Ｔ牧場の液肥（活性水））の性格の一例を示す波形図。
【図１４】本発明の液状物性格分析電波分光器で分析され、作成された他の液状物（石のしずくRed添加の精製水、石のしずくWhite添加の精製水、石のしずくBlack添加の精製水）の性格の一例を示す波形図。
【図１５】本発明の液状物性格分析電波分光器で分析され、作成された他の液状物（電磁気エネルギー照射水（Ｂ水）、水道水）の性格の一例を示す波形図。
【図１６】Ｏ市水道水の顕微鏡写真。
【図１７】Ｆ薬品工業社製の生理食塩水の顕微鏡写真。
【図１８】Ｎ氏、Ｈ氏の低温サウナ石の湯入浴発汗の顕微鏡写真。
【図１９】点滴用ブドウ糖ソルデム３Ａ、点滴用アミノ酸テルフィスの顕微鏡写真。
【図２０】有限会社川田研究所の精製ミネラル３種類（商品名：石のしずくWhite、石のしずくRed、石のしずくBlack）の顕微鏡写真。
【図２１】精製水に有限会社川田研究所の精製ミネラル３種類（商品名：石のしずくWhite、石のしずくRed、石のしずくBlack）を夫々５００ｐｐｍ添加したものの顕微鏡写真。
【図２２】本発明の液状物の性格分析電波分光器の一例を示す説明図。
【符号の説明】
【００４２】
１  可変パルス発生器（可変パルス発振器）
２  容器
３  液状物
４  電波送信針（パルス入力電極）
５  電波受信針（パルス出力電極）
６  検出部
７  Ａ／Ｄ変換器
８  掃引器
９  演算処理部
【手続補正書】
【提出日】平成18年10月10日(2006.10.10)
【手続補正１】
【補正対象書類名】特許請求の範囲
【補正対象項目名】全文
【補正方法】変更
【補正の内容】
【特許請求の範囲】
【請求項１】
被検体である液状物中に浸漬されている太さ０．５ｍｍ〜１．５ｍｍの電波送信針から液状物中に電圧１〜１０Ｖのパルスを送信し、そのパルスは周波数１ｋＨｚ〜１０ＭＨｚの範囲を任意時間内で掃引して任意周波数間隔で送信し、液状物中で液状物の性質の影響を受けてレベル変動した液状物中を透過したパルスを、液状物中に前記電波送信針と０．５ｍｍ〜１０ｍｍ離して浸漬されている太さ０．５ｍｍ〜１．５ｍｍの電波受信針で受信し、前記送信パルスと受信パルスのレベル差を前記パルスの送信周波数間隔ごとに検知し、検知された信号を演算処理して周波数と電圧との関係を表示する波形図を作成し、この波形図を水溶液中の模様の光学顕微鏡観察方法により得られた、液状物の構成物質の集合により呈している集合液状物独自の模様の顕微鏡写真又は／及び前記計測液状物の物性値と比較することにより液状物の性質が特定された比較用基本波形図と対比して、液状物の性質を分析評価することを特徴とする液状物性質分析評価方法。
【請求項２】
周波数の異なるパルスを発振する可変パルス発生器と、可変パルス発生器から発生するパルスを被検体の液状物内に送信する電波送信針と、液状物中で液状物の性質の影響を受けてレベル変動した液状物中を透過したパルスを受信する電波受信針と、電波送信針へ送信される送信パルスと電波受信針で受信された受信パルスのレベル差を検出する検出部と、検出部で検出されたアナログ電圧をデジタル電圧に変換するＡ／Ｄ変換器と、変換されたデジタル信号を演算処理して周波数と電圧との関係を表示する波形図を作成する演算処理部と、可変パルス発生器の発信周波数を掃引する掃引器と、比較用基本波形図を備え、前記両電極は太さ０．５ｍｍ〜１．５ｍｍであり、その両電極が液状物内に０．５ｍｍ〜１０ｍｍ離して浸漬され、掃引器は可変パルス発生器から発振されるパルスを所定時間内に、周波数１ｋＨｚ〜１０ＭＨｚの範囲で掃引して任意周波数間隔でパルスを発振させるものであり、前記波形図を作成する演算処理部は前記パルスの発振周波数間隔ごとに検知し、検知された信号を演算処理して前記波形図を作成するものであり、比較用基本波形図は水溶液中の模様の光学顕微鏡観察方法により得られた、液状物の構成物質の集合により呈している集合液状物独自の模様の顕微鏡写真又は／及び前記計測液状物の物性値と比較することにより液状物の性質が特定されたものであることを特徴とする液状物性質分析電波分光装置。
【手続補正２】
【補正対象書類名】明細書
【補正対象項目名】全文
【補正方法】変更
【補正の内容】
【発明の詳細な説明】
【技術分野】
【０００１】
本発明は水溶液及び水を主とした液状物（以下これらをまとめて「液状物」という。）の性格（性質：以下「性質」という。）の波形図（グラフ）による評価方法と、それに使用される液状物性質分析電波分光装置（アクアアナライザー）に関するものであり、上水、下水、加工用水、機能水、飲料水、アルコール飲料、栄養飲料、食品液汁、液状医薬品等の性質判断、品質比較管理、品質分析に利用できるものである。本件発明のマクロ的な性質分析は非常に簡便で簡易にどこででも即座に利用でき、従来のミクロ的な物質分析、物性分析を加えれば液状物の本質をより正確に把握できるものである。
【背景技術】
【０００２】
従来、溶液の機能・性質等に大きく影響を与えているのは溶液中の結合物質、溶解物質、含有物質を構成している各種元素及び各種分子レベルの個々の物質物性が主であるとされてきた。そのため、従来は、物質物性に関する分析方法、分析機器の研究開発がなされてきた。「著書図解雑学電磁波（株式会社ナツメ社発行、麻生修、二間瀬敏史著）」に、「電波の最も特徴的な方法は通信の分野であるが電波はそのほかにも電波分光という分野で利用される。分光とは物質に光（可視光）を当てて、その吸収や反射の様子（スペクトル）を調べることで物質の性質を調べることだが、電波分光ではおもに電子や原子核に電場や磁場を外から加え、そこに電波を当てて物質の性質を調べる。この測定によって電子や原子核の性質が飛躍的に理解されるようになった。」と明言されている。従来の分析器は原子レベルの物質解析の範疇を超えるものではないことが明らかである。量子力学分野の理論物理学的には、先人は振動原理で秩序の進化を説き、物質の生成、並びに、目で見えぬ各種エネルギーを含む総合的影響を性質として捉えていた。しかし、水溶液および水を主とした液状物において、この理論を顕在化実証する簡易的な具体的現象創出技術・装置は、近年特許出願されている特願２００３−３８７５８６「水溶液中の模様の光学顕微鏡観察方法」以外には見受けられない。
【発明の開示】
【発明が解決しようとする課題】
【０００３】
物体及びエネルギーは、物体と物体、エネルギーとエネルギー、あるいは、物体とエネルギー相互間において、相互に影響を与えるのは、原子や分子が単独で働きかけているのではなく、秩序の進化毎の塊の集合体としての相互作用の結果発露された合成力で作用しているものと判断されている。その作用の原点は液状物の電気双極子（ダイポール）状態によるものといわれている。液状物の水をも含む構成物質及び印加電磁気エネルギーの相互作用により合成された荷電粒子、あるいはコロイド粒子等による液体の集合状態が醸し出している揺らぎ微振動波の振動数、波形、波高と推察されている。特に、場の相互作用の結果生じた合成連成波としての振動数が大きく影響しているものと判断している。前記「著書図解雑学電磁波」に「ある波長の電磁波を検出するためには、その電磁波と相互作用を行う物質が必要である。電磁波と物質の相互作用とは、ミクロのレベルで見ると物質を構成する原子や分子が電磁波を吸収し、放出する現象である。原子や分子が吸収・放出できる電磁波の波長は、その種類によって異なる。したがって特定の原子や分子は、特定の波長の電磁波としか相互作用しない。そして相互作用しない物質に対して、電磁波は素通りするだけである。」と記述されている。これらの説明も原子、分子の構成物質レベルを対象としたものであり、マクロ的に存在している集合体への適用発展は全く窺えない。但し、「相互作用しない物質に対して、電磁波は素通りするだけである」とする見解は本件発明者らの秩序進化の集合体の持つ相互作用力が、ある特定の中・長波長域の電磁波と影響しあい、その電磁波の透過に絡んでいるとの推測を裏付ける十分な学術資料価値であると受け取ることが出来る。
【０００４】
「素粒子や光もこの世に存在するものは全て振動しており、物質やエネルギーもその振動の合成物である」と量子物理学の世界的大家エルヴィン・シュレディンガー博士はその著書「生命とは何か」の中で説いている。また彼は「物理法則は原子に関する統計に基くものであり、近似的なものにすぎない」と喝破し、「生物体の働きには正確な物理法則が要る」としている。原子核然り、原子然り、各分子然り、ナノ粒子然り、細胞然り、人間然り、これらは揺らぎ凝集が秩序の進化とともにより高度な物体を創出している事実として、万人の目にも明らかである。また、ノーベル物理学賞受賞の朝永振一郎博士は「すべてのモノの理は周波数で現される」とも説いている。
【０００５】
物理学者梅沢博臣博士と高橋康博士は量子場脳理論の中で次のように説明している。
「頭蓋の中の電磁場と相互作用する脳細胞の水の電気双極子の凝集場は電磁場の波動運動と同期（シンクロナイズ）することにより、広範囲にわたって電磁場との間の連成波としてのダイナミカルな秩序を生み出すことができる。」。
【０００６】
「物理学の用語で連成波というのは２種類の場の間での連なった波動運動のことで、いまの場合は水の電気双極子の凝集場の波動運動と電磁場の波動運動が同期して連なっている、ある意味で秩序だった運動状態を示している。」。
【０００７】
「実際に脳細胞を構成している脂質やタンパク質などの生体物質の詳細な原子配列や物理的性質がわかったとしても、それが無数に複雑に組み合わさってマクロのスケールの物質となったときにもっとも重要となるのは、個々の構成物質の詳細によらずに与えられる全体的で大まかな性質だけになる。そして、電磁場の波動運動のように広範囲に広がる物理的な対象との間の影響を見ていく場合には、特に顕著になってくる。このような理由で、理論物理学では、ミクロの世界での物質場の量子が凝集してマクロのスケールにまでなった物質と電磁場の相互作用を考えるとき、第一近似として凝集体を電気双極子場や磁気双極子場としてみなしている。」。
【０００８】
川田薫理学博士は論文「シリケート４面体の生体に及ぼす影響」の中で「ミネラルの集合体である２０〜３０オングストロームの球状粒子がブルブル振るえ活発に振動し、水凝集場の秩序維持に関与し、水の階層構造をかもし出している」と説いている。同博士は論文発表の中で、溶液の液体窒素による急速凍結による電子顕微鏡写真で秩序ある水の階層構造を提示している。
【０００９】
幸いにして、本件発明者らは、特願２００３−３８７５８６「水溶液中の模様の光学顕微鏡観察方法」により、溶液の性質は、溶液が微乾燥されるときに懸濁物質の集合体模様の変化に具象化されることを確認している。
【００１０】
本件発明者らは上記各論文・書籍並びに光学顕微鏡の特殊観察実例を参考に、長年鋭意研究を重ねた結果、液状物の性質は秩序進行段階に応じた独自の振動を有し、影響しあって、その液状物独自の場の相互作用の連成的合成波動を有しており、その発信波動はその液状物独自のマクロな性質を現していると判断することができた。更に、この判断に立脚して、透過、反射、減衰、共振現象による特定パルス伝達場としての溶液のマクロな性質は、合成的連成波として顕在化できるだろうと推察し、その顕在化の原点を「透過、反射、減衰、共振現象による電磁気振動波（パルス）の振動数毎の透過力」と捉え、その電気的電圧変化値でもって顕在化することとした。前記したエルヴィン・シュレディンガー博士の論旨を要約すれば「溶液の中の水分子はそこに存在隣接するミネラルや有機体により、電磁気的双極子なるが故に影響を受け、存在するための制約を受け秩序性を維持している。しかしその秩序性の度合いはそこに存在隣接するミネラルや有機体により異なり、その液状物質の階層構造にも変化を与えている。これらすべての影響を体表現している凝集体塊毎の振動がある」と言える。本件発明者らは本件発明おいて、これら振動を総称して「揺らぎ微振動波」と呼ぶことにした。当然のことながら、伝達場としての水溶液及び水を主とした液状物のマクロな存在状態「揺らぎ微振動波」すなわち性質を診る方法は上記特願２００３−３８７５８６「水溶液中の模様の光学顕微鏡観察方法」があるが、揺らぎ微振動波を焦点に当てた電磁気的解析法は未だ開発されていない。
【００１１】
従来は、実在系の水の性質を良く表すことが出来るよう、水分子の振動・回転・並進運動を捉える赤外線吸収法やラマン散乱法、中性子非弾性散乱法があり、Ｘ線・中性子・電子線解析により解読されている。また、細胞等の物体としての全体像把握のためには超音波が用いられている。がしかし、これらは、ものの大きさこそ異なるが、あくまで物質対象の反射波や吸収波の度合いの分析であり、個々の構成物質の存在確認に過ぎず、我々が解決しようとしているマクロな性質とは異なるものである。また、マイクロ波の医療への応用ではジアテルミ療法やハイパーサーミアがあるが、特定の中・長波、マイクロ波、波長域の電磁波の波長相互作用による加温効果を利用したものが開発されている。しかし、熱作用利用のみであり、それ以外の何者でもなく、特定信号として捉えていない。本件発明者らは、液状物の場のエネルギー影響を含むマクロな性質は上述の如く連成的合成波に現されているとし、透過、反射、減衰、共振・同調の相互作用による電磁気振動波（パルス）の交番周波数毎の時間的平均電位差絶対値を読み取り、コンピュータにて、その変化値を測定範囲帯で掃引したものを波形図として具象化し、その被検体溶液の性質と位置づけた。人間に例えていうならば、人体の外見ならびに構成部分の分析はできたが、心の分析までには至っていないということである。我々はこの心の分析をして、存在物質のマクロの性質把握をし、従来の各種分析手法データに重ね合わせて、より正確に液状物の性質（液状物の本質）を捉えようとするものである。
【課題を解決するための手段】
【００１２】
従来は液中における信号としては音波が主体であり、物質分析では波長の短い近赤外線以下のものが使用されていた。数年前よりサブミリ波といわれる振動数がテラヘルツレベルのものが開発され、癌発見用に利用されているといわれている。本件発明者らは実験により、ある周波数帯域のパルスであれば、反射、吸収、減衰、共振等の相互作用によって液状物中を透過すること、透過したパルスの電圧変化（入力パルスとのレベル差）で顕在化可能であることを究明した。
【００１３】
本件発明者らは、先人が教える量子場の理論物理学に則り、液状物を、従来タブーとされていた長・中波のパルス伝達場として捉え、１９９８年以来、試行錯誤を繰り返し、７年の歳月を経て、確実に再現性を確認できる液状物性質評価方法とそれに使用される液状物性質分析電波分光器を発明した。この発明は以下のようなものである。
【００１４】
本願の請求項１記載の液状物性質分析評価方法は、被検体である液状物中に浸漬されている太さ０．５ｍｍ〜１．５ｍｍの電波送信針から液状物中に電圧１〜１０Ｖのパルスを送信し、そのパルスは周波数１ｋＨｚ〜１０ＭＨｚの範囲を任意時間内で掃引して任意周波数間隔で送信し、液状物中で液状物の性質の影響を受けてレベル変動した液状物中を透過したパルスを、液状物中に前記電波送信針と０．５ｍｍ〜１０ｍｍ離して浸漬されている太さ０．５ｍｍ〜１．５ｍｍの電波受信針で受信し、前記送信パルスと受信パルスのレベル差を前記パルスの送信周波数間隔ごとに検知し、検知された信号を演算処理して周波数と電圧との関係を表示する波形図を作成し、この波形図を水溶液中の模様の光学顕微鏡観察方法により得られた、液状物の構成物質の集合により呈している集合液状物独自の模様の顕微鏡写真又は／及び前記計測液状物の物性値と比較することにより液状物の性質が特定された比較用基本波形図（特願２００３−３８７５８６：特許第３７２８３１４号）と対比して、液状物の性質を分析評価することを特徴とする液状物性質分析評価方法である。
【００１５】
【００１６】
【００１７】
本願の請求項２記載の液状物性質分析電波分光装置は、周波数の異なるパルスを発振する可変パルス発生器と、可変パルス発生器から発生するパルスを被検体の液状物内に送信する電波送信針と、液状物中で液状物の性質の影響を受けてレベル変動した液状物中を透過したパルスを受信する電波受信針と、電波送信針へ送信される送信パルスと電波受信針で受信された受信パルスのレベル差を検出する検出部と、検出部で検出されたアナログ電圧をデジタル電圧に変換するＡ／Ｄ変換器と、変換されたデジタル信号を演算処理して周波数と電圧との関係を表示する波形図を作成する演算処理部と、可変パルス発生器の発信周波数を掃引する掃引器と、比較用基本波形図を備え、前記両電極は太さ０．５ｍｍ〜１．５ｍｍであり、その両電極が液状物内に０．５ｍｍ〜１０ｍｍ離して浸漬され、掃引器は可変パルス発生器から発振されるパルスを所定時間内に、周波数１ｋＨｚ〜１０ＭＨｚの範囲で掃引して任意周波数間隔でパルスを発振させるものであり、前記波形図を作成する演算処理部は前記パルスの発振周波数間隔ごとに検知し、検知された信号を演算処理して前記波形図を作成するものであり、比較用基本波形図は水溶液中の模様の光学顕微鏡観察方法により得られた、液状物の構成物質の集合により呈している集合液状物独自の模様の顕微鏡写真又は／及び前記計測液状物の物性値と比較することにより液状物の性質が特定されたもの（特願２００３−３８７５８６：特許第３７２８３１４号）であることを特徴とする液状物性質分析電波分光装置である。
【００１８】
【００１９】
【発明の効果】
【００２０】
本願の液状物性質分析評価方法は次のような効果がある。
１．送信電極と受信電極を空気中に配置するのではなく、液状物中に浸漬するため、液状物中のパルスをダイレクトに計測することができ、他物質の影響を受けず測定精度が向上する。
２．送信電極と受信電極を液状物中に浸漬するため、液状物の性質によるパルスの減衰、反射、透過、共振等の相互作用の影響によってレベル変化したパルスを受信することができ、その受信レベル液状物の性質を分析することができる。
３．送信パルスと受信パルスを演算処理して波形図を作成し、その波形図を比較用溶液波形図と対比観察して液状物の性質を分析評価するので、液状物の性質を波形図として目視により確認することができる。また、分析評価を迅速に得ることが出来るため現場向きの簡易式分析器である。さらに、従来の物質分析、物性分析を付け加えるならば、これまでにない液状物の本質を解析することが出来、今後の研究開発に大いに寄与できる。
４．１ｃｃ〜３ｃｃ程度の僅かな液状物（サンプル）でも分析、評価可能であるため、短時間で迅速、簡便な計測が可能であり、現場における比較検証分方法として最適であり、経済的でもある。
【００２１】
本願の液状物性質分析評価方法は、前記効果の他に次のような効果もある。
１．液状物中に電波送信針から１ｋＨｚ〜１０ＭＨｚ周波数帯域のパルスを、任意時間内に、任意周波数間隔で入力するので、１ｋＨｚ〜１０ＭＨｚの広範囲に亘って夫々の周波数ごとのパルスのレベル変化を捉えて、液状物の性質を分析することができ、マクロな分析が可能となる。
２．液状物の電場、磁場の伝達場としての物質物性のみならず、履歴印加エネルギー影響をも表現するマクロ的な性質を、印加パルスの周波数ごとに読み取ることが出来る。
【００２２】
本願の液状物性質分析方法は次のような効果がある。
１．波形図が電圧と周波数との関係を示すものであるため、これまで目で確認できなかった液状物の性質を、電圧と周波数の関係として目で確認することができるため液状物の性質を把握し易い。
【００２３】
本願の液状物性質分析電波分光装置は次のような効果がある。
１．可変パルス発生器（可変パルス発振器）と、電波送信針と、電波受信針と、検出部と、Ａ／Ｄ変換器と、演算処理部と、可変パルス発生器の発信周波数を掃引する掃引器で構成されるため、構成が簡潔である。
２．構成が簡潔であるため、取扱いも簡便であり、使い易く、１ｃｃ〜３ｃｃ程度の僅かな液状物（サンプル）でも分析、評価可能であるため、短時間で迅速、簡便な計測が可能であり、現場における比較検証分方法として最適であり、経済的でもある。
３．従来最も簡易で一般化しているラジオ用周波数の長波、中波領域の波長帯である１ｋＨｚ〜１０ＭＨｚの範囲の周波数を使用するので、装置製作が容易で、経済的である。
４．掃引器が可変パルス発生器から発振されるパルスを６０〜１８０秒の間に、周波数１ｋＨｚ〜１０ＭＨｚの範囲で掃引して１ｋＨｚごとのパルスを発振させるものであるため、液状物の性質を１ｋＨｚ〜１０ＭＨｚの広帯域に亘って分析することができ、分析精度が向上する。
【００２４】
本願の液状物性質分析電波分光装置は、電波送信針と電波受信針の材質が金または金メッキ材であるため、次のような効果がある。
１．前記両針の導電性が良く、パルスの伝達性が良く、安定した計測ができ、微細なパルス変動をも検知することができ、高精度の液状物の性質分析が可能となる。
２．加工が容易である。
３．部品が安定し入手が容易である。
４．変質が少なく、保守管理が容易で、長持ちし、経済的である。
【００２５】
本願の液状物性質分析電波分光装置は、液状物内に浸漬された電波送信針と電波受信針の間隙が０.５ｍｍ〜１０ｍｍと狭いため、次のような効果がある。
１．前記両針間で液状物の性質の以外の影響を受けにくく、パルスの伝達性が良く、安定した計測ができ、液状物の性質を正確に計測することができる。
２．被検体である液状物のサンプル量が少なく、多種多様の水溶液および水を主とした液状物の性質が分析可能である。サンプルの無駄が少なく、経済的である。
３．分析電波分光器がコンパクトで、設置場所もとらず、移動が容易であり、現場品質管理分析装置として最適である。
【発明を実施するための最良の形態】
【００２６】
（実施形態１）
本願発明の液状物性質分析評価方法は、図２２の性質分析電波分光装置を使用して液状物の性質を分析し評価する方法であり、図２２の可変パルス発生器（可変パルス発振器）１から発振されたパルスを、容器２内の被検体である液状物３内に浸漬した電波送信針（パルス入力電極）４から液状物３内に入力し、液状物３の性質による減衰、反射、透過、共振等の相互作用の影響によってレベル変化したパルスを液状物３内に浸漬した電波受信針（パルス出力電極）５で受信し、電波受信針５で受信した受信パルス（出力パルス）と、可変パルス発生器１から発振されて電波送信針４に送信された送信パルス（入力パルス）とのレベル差（時間的平均電位差絶対値）を、検出部６で検出し、検出したパルスをＡ／Ｄ変換器７でデジタル信号（電圧）に変換し、それをコンピュータの演算処理部９で演算処理して波形図を作成し、その波形図を比較用溶液波形図と対比観察して液状物の性質を分析評価する。この場合、本件発明者らは、可変パルス発生器１から電圧１〜１０Ｖのパルスを発振させ、更に、可変パルス発生器１の発振周波数を掃引手段（掃引器）８で掃引して周波数１ｋＨｚ〜１０ＭＨｚのパルスを、６０〜１８０秒の間に１ｋＨｚごとに発振させて電波送信針４に入力したところ、液状物３の性質を１ｋＨｚ〜１０ＭＨｚの帯域に亘って、１ｋＨｚごとに読み取ることができ、また、電波送信針４、電波受信針５の材質を金または金メッキ材とするとパルスの伝達性が良く、安定した計測ができた。液状物３内に浸漬した電波送信針４と電波受信針５の間隙を０．５〜１０ｍｍを範囲内とすると、パルスの伝達性が良く、安定した計測ができた。本発明では、可変パルス発生器と掃引器が一体の掃引可変パルス発振器を使用することもできる。電波送信針、電波受信針の太さ、長さは任意のものを選択することができる。例えば、太さは０．５ｍｍ〜１．５ｍｍ、長さは１０ｍｍ〜１５ｍｍが好ましい。
【００２７】
本発明の波形図の一例を図１〜図１５に示す。こられ波形図は、電波受信針５から５Ｖ、周波数１ｋＨｚ〜４ＭＨｚのパルスを、５０秒の間に１ｋＨｚごとに印加したパルスのレベルと、そのときに電波受信針５で受信されたパルスのレベルの差（以下「レベル差」という。）を、１ｋＨｚごとにプロットして表示したものであり、横軸に周波数（ｋＨｚ）、縦軸に電圧レベル（Ｖ）が表示されている。これら波形図はパルス伝達場である液状物の総合的な性質に起因するパルスのレベル差の変化が表示されたものである。
【００２８】
前記波形図において電圧差が「０Ｖ」の場合は、パルスが液状物内を１００％透過して電波受信針５でキャッチされた場合であり、電位差が全くなかったことを意味している。電圧差が「５Ｖ」の場合はパルスが液状物内の相互作用で電気エネルギーが総て吸収されて電波受信針５に全く受信されなかったことを意味している。電圧差が中間値（例えば２．５Ｖ）の場合は、パルスがその液状物内の相互作用により電気エネルギーが減衰・吸収されて半分だけ（２．５Ｖ）電波受信針５で受信されたことを意味している。波形図が広く低周波数域から高周波数域に広がる場合（例えば図１２）は、液状物中に含有されている物質の種類が多く、電磁気的拘束力が減少していることを示している。純粋な水になればなるほど波形は上端が尖鋭な山形の様相で低周波側に寄っている（例えば図１）。ミネラル濃縮液の波形図（図１２）、熟成液肥の場合の波形図（図１３）はかなり広い帯域幅となり高周波側に移動する。電解イオン的影響の強いときは高周波側の波形が減衰して（図１１）、単純台形波形に近づいてくる。物質の拘束により、その物質の影響力が全くない如き様相を呈する。波形図の比較例を以下に示す。
【００２９】
図１は有限会社川田研究所精製の逆浸透膜（ＲＯ）処理水と超純水の波形図である。図２はＯ市水道水と市販のサイババの水と霊波の光の御神水の波形図である。両波形図から明らかなように、溶解物の少ない水は８００〜１７００ｋＨｚの間でレベル差が大きくなっている。本件発明者らは、海外のミネラルウォーター産出地で濾過処理後さらにミネラル添加したミネラルウォーターも同形の波形図となることを確認している。
【００３０】
図３はＯ市水道水の波形図である。これは残留塩素がある場合（黒線波形図：水道水を汲んでから間もなく）とない場合（茶線波形図：一昼夜汲み置き後）では大きく変化が見られる。図２の黒線波形図と図３の黒線波形図（残留塩素がある場合）の波形は極似しており、分析の再現性が信頼できる。また、図３の黒線波形図に対する茶線波形図の広がりは塩素による他物質の拘束力が開放された状態である。図１６の顕微鏡写真１Ａの残留塩素がある場合と図１６の顕微鏡写真１Ｂの残留塩素がない場合の比較を見れば明らかに拘束力の差が確認できる。
【００３１】
図４と図５はＦ薬品工業社製の生理食塩水の波形図である。両波形図は２５００〜３５００ｋＨｚ帯域の波形が全く異なる。この違いは構成物資であるＮａＣｌ９９．５％以外の０．５％の他物質（ミネラル）の差が影響しているものと思われる。この違いは図１７の顕微鏡写真２Ａ、Ｂの比較で明らかなように模様の変化としても表れている。
【００３２】
図６と図７は液状物が低温サウナ石の湯に入った時の異なる２人の人間の汗の波形図である。図６の黒線波形図はＮ氏第１回目入浴発汗、ピンク線波形図はＮ氏第４回目入浴発汗の波形図、図７の黒線波形図はＨ氏第１回目入浴発汗、ピンク線波形図はＨ氏第４回目入浴発汗の波形図である。両図から両氏の変化（黒線波形図からピンク線波形図への変化）の同傾向であることが分る。両図における黒線波形図とピンク線波形図の変化は含有ミネラルの差が影響しているものと思われる。この変化は図１８の顕微鏡写真３Ａ〜Ｄでも分かるように、ミネラル分が変化した結果、第１回目入浴発汗よりも第４回目入浴発汗の方が両氏とも秩序ある集合体模様を呈していることからも分かる。
【００３３】
図８は液状物が点滴用ブドウ糖ソルデム３Ａの場合、図９は点滴用アミノ酸テルフィスの場合である。このような波形図は他の系統の医薬品でも得られるものと推測できる。これら波形図より医薬品の波形図を特定し、特定された波形図とそれら医薬品の他の波形図とを比較することにより、それら医薬品の管理を行うこともできる。この場合も図１９の顕微鏡写真と併用して比較するとより適切な管理が可能となる。図１９の顕微鏡写真４Ａは前記ソルデム３Ａ（ブドウ糖系）の模様であり、図１９の顕微鏡写真４Ｂは前記テルフィス（アミノ酸系）の模様である。
【００３４】
図１０は市販の精製水の波形図（黒線波形図）と、その精製水に特許第３６５８２９４号の段落番号（０００６）に開示のソフトセラミックス（遠赤外線放射資材）を浸漬した場合の精製水の波形図（茶線波形図）であり、他の水源等において、この茶線波形図と同様の波形図が得られたときは、ソフトセラミックスの性能が十分であると確認することができる。すなわち、ソフトセラミックスの性能チェックができる。図１１は水道水の波形図（黒線波形図）と、ソフトセラミックスを浸漬した水道水（波動水）の波形図（茶線波形図）であり、茶線波形図が黒線波形図よりも広範囲に広がっていることから、ソフトセラミックスの水質浄化力（水と含有物の分離力）の機能向上を窺うことができる。
【００３５】
図１２は有限会社川田研究所の精製ミネラル３種類（商品名：石のしずくWhite、石のしずくRed、石のしずくBlack）の波形図である。黒線波形図は石のしずくWhite、ピンク波形図は石のしずくRed、破線波形図は石のしずくBlackの波形図である。これら波形図はいずれも帯域が広く、しかも高周波側に寄っていることから、多くの種類のミネラルが含まれていることが本件発明者らの実験により確認されている。このことは、図２０に示す前記３種類の精製ミネラルの顕微鏡写真５Ａ〜Ｃからも窺うことができる。図２０の顕微鏡写真５Ａ〜Ｃの球状模様はミネラルの集合体である。球状模様内が黒くなっている方が、白い方よりもミネラルが凝集している（ミネラルの量及び種類が多い）ことを示している。
【００３６】
図１３はＴ牧場の液肥（活性水）の波形図である。この波形図も帯域が広く、しかも高周波側に寄っていることから、多くの種類のミネラルが含まれていることが本件発明者らの実験により確認されている。
【００３７】
図１４は精製水に有限会社川田研究所の前記精製ミネラル３種類を夫々５００ｐｐｍ添加したときの波形図である。黒線波形図は石のしずくRed、ピンク線波形図は石のしずくWhite、破線波形図は石のしずくBlackを夫々添加したときの波形図である。図１２の波形図（前記３種類のミネラル波形図）との比較から、ミネラル添加量による精製水の性質変化を窺い知ることができる。この性質変化から商品の品質の比較検討に的確且つ簡易に利用できる。この場合も図２１の顕微鏡写真６Ａ〜Ｃと併用するのがよい。図２１の顕微鏡写真６Ａ〜Ｃよりミネラルの種類が多く、凝集力が強い（種類が多いほど写真の黒い線状部分が濃くなる：パルスが透過しにくくなる）。顕微鏡写真６Ａは図１４の黒線波形図（石のしずくRed）、顕微鏡写真６Ｂは図１４のピンク線波形図（石のしずくWhite）、顕微鏡写真６Ｃは図１４の破線波形図（石のしずくBlack）に夫々対応する。
【００３８】
図１５の黒線波形図は、照射水（Ｂ水）の波形図である。Ｂ水は本件発明の発明者である渡辺静穂が開発したものであり、水道水（図１５のピンク線波形図）に電磁気エネルギーを照射した水である。図１５の黒線波形図では１〜６００ｋＨｚ帯域と、７００〜１４００ｋＨｚ帯域の二ヶ所に高い電圧差が見られる。これは、水道水に照射したエネルギーの影響によることが本件発明者らの実験により確認されている。このことから、エネルギーにより液状物の性質が変化することが分かり、水のエネルギー分析も可能となる。
【００３９】
前記各種波形図は図２２の演算処理回路により作成される。これら波形図を溶液別の比較用基本波形図（液状物の性質が把握されている）と比較することにより、各種液状物の性質分析、評価が可能となる。前記比較用基本波形図は本願発明の前記計測方法と同じ計測方法により予め計測して得ておくことができる。この性質把握には液状物の表面張力等の物性値や、特願２００３−３８７５８６「水溶液中の模様の光学顕微鏡観察方法」をも前記のように参考にすることができる。この光学顕微鏡観察方法により得られる顕微鏡写真（例えば図１６〜２１）は構成物質の集合により呈している集合液状物独自の模様の顕微鏡写真と併用することにより、波形図だけの場合よりもより詳細な性質分析が可能となる。これは水溶液及び水を主とした液状物は何らかの電気双極子並びに磁気双極子を帯びた隗の集合物であり電場／磁場の連成波電磁場であり、その溶液の微乾燥した時の集合模様に絶大な影響を及ぼしていると同時に隗の集合物が電波透過に共振・同調を始め、透過、反射、減衰等大いに影響を与えていることから導き出される。この影響を与える原点が振動数、つまり周波数によるものであることは先人の参考文献例で前述した通りである。
【産業上の利用可能性】
【００４０】
本願発明の液状物性質分析評価方法は、水溶液や水を主とする液状物の性質を検知し、評価する基本発明であり、水溶液や水を主とする液状物の研究開発、飲料業界、医薬品業界における水溶液や水を主とする液状物の品質管理には欠かすことのできない評価方法である。本願発明の液状物性質分析電波分光器は現場において、水溶液や水を主とする液状物の性質を簡易に分析、評価することのできる分析器として利用できる。特に、水溶液内及び水を主とする液状物への添加物、添加エネルギーの比較検証には最適であり、一次産業生産現場、製造現場における経済的で、簡易で、簡便な水溶液内及び常温液状物質（溶液）の性質波形図の変化を読むことにおいて、その製造、生産品の品質の適、不適が判断できる。また研究開発の新たな切り込み手法として貴重なものである。
【図面の簡単な説明】
【００４１】
【図１】本発明の液状物性質分析電波分光器で分析され、作成された液状物（超純水、ＲＯ水）の性質の一例を示す波形図。
【図２】本発明の液状物性質分析電波分光装置で分析され、作成された他の液状物（水道水、サイババの水、霊波の光の御神水）の性質の一例を示す波形図。
【図３】本発明の液状物性質分析電波分光装置で分析され、作成された他の液状物（汲んで間もない水道水、汲み置き後の水道水）の性質の一例を示す波形図。
【図４】本発明の液状物性質分析電波分光装置で分析され、作成された他の液状物（Ｆ薬品工業社製の生理食塩水１）の性質の一例を示す波形図。
【図５】本発明の液状物性質分析電波分光装置で分析され、作成された他の液状物（Ｆ薬品工業社製の生理食塩水２）の性質の一例を示す波形図。
【図６】本発明の液状物性質分析電波分光装置で分析され、作成された他の液状物（Ｎ氏汗１：第１回目入浴発汗、Ｎ氏汗２：第４回目入浴発汗）の性質の一例を示す波形図。
【図７】本発明の液状物性質分析電波分光装置で分析され、作成された他の液状物（Ｈ氏汗１：第１回目入浴発汗、Ｈ氏汗２：第４回目入浴発汗）の性質の一例を示す波形図。
【図８】本発明の液状物性質分析電波分光装置で分析され、作成された他の液状物（点滴用ブドウ糖ソルデム３Ａ）の性質の一例を示す波形図。
【図９】本発明の液状物性質分析電波分光装置で分析され、作成された他の液状物（点滴用アミノ酸テルフィス）の性質の一例を示す波形図。
【図１０】本発明の液状物性質分析電波分光装置で分析され、作成された他の液状物（精製水、ソフトセラミックスを浸漬した精製水）の性質の一例を示す波形図。
【図１１】本発明の液状物性質分析電波分光装置で分析され、作成された他の液状物（水道水、ソフトセラミックスを浸漬した水道水（波動水））の性質の一例を示す波形図。
【図１２】本発明の液状物性質分析電波分光装置で分析され、作成された他の液状物（石のしずくWhite、石のしずくRed、石のしずくBlack）の性質の一例を示す波形図。
【図１３】本発明の液状物性質分析電波分光装置で分析され、作成された他の液状物（Ｔ牧場の液肥（活性水））の性質の一例を示す波形図。
【図１４】本発明の液状物性質分析電波分光装置で分析され、作成された他の液状物（石のしずくRed添加の精製水、石のしずくWhite添加の精製水、石のしずくBlack添加の精製水）の性質の一例を示す波形図。
【図１５】本発明の液状物性質分析電波分光装置で分析され、作成された他の液状物（電磁気エネルギー照射水（Ｂ水）、水道水）の性質の一例を示す波形図。
【図１６】Ｏ市水道水の顕微鏡写真。
【図１７】Ｆ薬品工業社製の生理食塩水の顕微鏡写真。
【図１８】Ｎ氏、Ｈ氏の低温サウナ石の湯入浴発汗の顕微鏡写真。
【図１９】点滴用ブドウ糖ソルデム３Ａ、点滴用アミノ酸テルフィスの顕微鏡写真。
【図２０】有限会社川田研究所の精製ミネラル３種類（商品名：石のしずくWhite、石のしずくRed、石のしずくBlack）の顕微鏡写真。
【図２１】精製水に有限会社川田研究所の精製ミネラル３種類（商品名：石のしずくWhite、石のしずくRed、石のしずくBlack）を夫々５００ｐｐｍ添加したものの顕微鏡写真。
【図２２】本発明の液状物の性質分析電波分光装置の一例を示す説明図。
【符号の説明】
【００４２】
１  可変パルス発生器（可変パルス発振器）
２  容器
３  液状物
４  電波送信針（パルス入力電極）
５  電波受信針（パルス出力電極）
６  検出部
７  Ａ／Ｄ変換器
８  掃引器
９  演算処理部